(57)【要約】【課題】  放送番組の視聴中断後にユーザが予期しないほど盛り上がったシーンを検出した場合にのみ、その旨をユーザに通知することで、ユーザが興味を失ったために視聴を中断した放送番組に関する不必要な通知を回避し、ユーザへの煩わしさを解消する。【解決手段】テレビジョン装置１は、盛り上がり検出部５００と通知画面作成部６００を備える。盛り上がり検出部５００は、放送番組に関する情報、例えば、音声信号の音量レベルや瞬間視聴率等を利用して、盛り上がり度及び盛り上がり度基準値を検出する。そして盛り上がり検出部５００が視聴中断後に算出した盛り上がり度を盛り上がり度基準値と比較し、比較結果に応じてユーザへの通知画面の作成要求を通知画面作成部６００に出力する。この作成要求に従って通知画面作成部６００はユーザへの通知画面を作成するための信号を出力する。【選択図】  図３
2010161489.tif 000002
【特許請求の範囲】
【請求項１】
放送番組の盛り上がり度を検出する機能を有するテレビジョン装置であって、
放送番組の視聴を中断した場合に、中断の前の前記放送番組の盛り上がり度の判定基準となる盛り上がり度基準値を求め、前記放送番組の視聴を中断した後において前記放送番組の盛り上がり度を所定のタイミングで算出して、これを前記盛り上がり度基準値と比較する検出処理手段と、
算出された前記盛り上がり度が前記盛り上がり度基準値よりも大きい場合に、視聴を中断した後に前記放送番組が盛り上がったこと又はその盛り上がり度をユーザに通知するための通知手段を備えたことを特徴とするテレビジョン装置。
【請求項２】
前記検出処理手段を構成する盛り上がり検出部は、前記算出された盛り上がり度を前記盛り上がり度基準値と比較し、当該盛り上がり度が前記盛り上がり基準値を超えた場合に、盛り上がりの通知画面に係る作成要求を出力し、
前記通知手段を構成する通知画面作成部は、前記作成要求に従って前記通知画面を作成するための信号を表示手段に対して出力することを特徴とする、請求項１に記載のテレビジョン装置。
【請求項３】
前記盛り上がり検出部は、前記放送番組に係る音声信号の音量レベルを用いて、前記盛り上がり度基準値及び盛り上がり度を検出することを特徴とする、請求項２に記載のテレビジョン装置。
【請求項４】
放送番組に関する瞬間視聴率を取得する視聴率受信部を備えており、
前記盛り上がり検出部は、前記視聴率受信部が取得した瞬間視聴率を用いて、前記盛り上がり度基準値及び盛り上がり度を検出することを特徴とする、請求項２に記載のテレビジョン装置。
【請求項５】
前記盛り上がり検出部は、放送番組の視聴が開始された際に盛り上がり度基準値の検出要求を受けると当該盛り上がり度基準値の検出を開始し、前記放送番組の視聴が中断された際に盛り上がり度の検出要求を受けると盛り上がり度の検出を行うことを特徴とする、請求項２乃至４のいずれか１項に記載のテレビジョン装置。
【請求項６】
前記盛り上がり検出部は、放送番組の視聴が開始された際に盛り上がり度基準値の検出要求を受けると当該放送番組の盛り上がり度の記録を開始し、前記放送番組の視聴が中断された際には、視聴を中断した時点から一定時間だけ遡った期間中に記録された盛り上がり度に基づいて盛り上がり度基準値を検出することを特徴とする、請求項２乃至５のいずれか１項に記載のテレビジョン装置。
【請求項７】
前記検出処理手段を構成する盛り上がり検出部は、前記盛り上がり度基準値と盛り上がり度との間で差分を求める演算を行い、差分値に基づいて盛り上がり度の表示要求を出力し、
前記通知手段を構成する盛り上がり度表示制御部は、前記盛り上がり度の表示要求に従ってユーザに表示する盛り上がり度又は該盛り上がり度の変化を表示するための信号を表示手段に出力する、ことを特徴とする請求項１に記載のテレビジョン装置。
【請求項８】
放送番組の盛り上がりをユーザに通知するためのテレビジョン装置の制御方法であって、
前記放送番組に関する情報を用いて該放送番組の盛り上がり度の判定基準となる盛り上がり度基準値を求める基準値の算出ステップと、
前記放送番組の視聴中断後において当該放送番組に関する前記情報に基づいて盛り上がり度を算出する盛り上り度の算出ステップと、
算出された盛り上がり度を前記盛り上がり度基準値と比較する比較ステップと、
前記比較ステップでの比較結果に応じて、前記放送番組が盛り上がったこと又は前記盛り上がり度をユーザに通知する通知ステップを有することを特徴とするテレビジョン装置の制御方法。
【発明の詳細な説明】
【技術分野】
【０００１】
本発明は、放送番組の盛り上がりを検出してその旨をユーザに通知する機能を有するテレビジョン装置及びその制御方法に関するものである。
【背景技術】
【０００２】
近年、放送番組中の盛り上がりを見せたシーン（以下、盛り上がりシーンと称す。）の見逃しを防ぐ技術が知られている。放送番組の音量レベルの変化や視聴率の変化等の検出結果を利用して当該放送番組の盛り上がりを検出してユーザに通知することで盛り上がりシーンの見逃しを防止できる。
【０００３】
例えば特許文献１に開示された装置によると、主画面と子画面の二画面で放送番組を表示している際に、通常は主画面の音声を出力するが、子画面で表示している放送番組の盛り上がりを検出した場合には子画面の音声を出力する。これによって、子画面で表示している放送番組が盛り上がったことをユーザに通知し、盛り上がりシーンの見逃しを防止できる。
【０００４】
また、ユーザが放送番組を視聴している最中に、現在のチャンネルから別のチャンネルを切り替えた場合、チャンネル切り替え前に視聴していた放送番組を自動的に録画する技術が知られている。例えば特許文献２の放送番組受信装置において、ユーザがチャンネル切り替えを行う前に所定の時間以上に亘って放送番組を視聴していた場合、当該放送番組に係るコンテンツを自動録画することにより、ユーザが視聴を中断した放送番組の続きを後で視聴できる。
【特許文献１】特開２００３−２９８９７２号公報
【特許文献２】特開２００７−１８０８６１号公報
【発明の開示】
【発明が解決しようとする課題】
【０００５】
しかしながら、盛り上がりシーンを検出する度にこれをユーザに対して常に通知する場合には、ユーザが興味を失った結果としてその視聴を中断した放送番組等であってもユーザへの通知が度々行われることになる。つまり、盛り上がりシーンの検出の度にユーザへの不必要な通知が行われるため、ユーザが煩わしさを感じる虞がある。この課題に対して、特許文献１では子画面で視聴中の放送番組について、その盛り上がりを検出する度に音声が切り替わるため、上記したユーザの煩わしさを解消できない。
【０００６】
また放送番組を自動録画したとしても、ユーザが興味を失った結果、視聴を中断した放送番組の場合、ユーザは録画した放送番組を後で視聴しようとは思わないことが多い。従って、録画した放送番組中で予期しないほどに盛り上がりを見せたシーンをユーザが見逃してしまう可能性がある。この課題に対して特許文献２ではユーザへの通知に関して何ら記載されていない。よって、視聴中断後に予期しないほど盛り上がりを見せたことにユーザが気付かず、盛り上がりシーンを見逃してしまう虞がある。
【０００７】
そこで、本発明はユーザへの不必要な通知が行われることに起因する煩わしさの解消を目的とする。
また本発明は、ユーザが興味を失って視聴を中断した場合でもユーザが予期しなかった盛り上がりシーンを見逃さないように防止することを目的とする。
【課題を解決するための手段】
【０００８】
上述した課題を解決するために、本発明に係るテレビジョン装置は、放送番組の盛り上がり度を検出する機能を有する装置であって、放送番組の視聴を中断した場合に、中断の前の前記放送番組の盛り上がり度の判定基準となる盛り上がり度基準値を求め、前記放送番組の視聴を中断した後において前記放送番組の盛り上がり度を所定のタイミングで算出して、これを前記盛り上がり度基準値と比較する検出処理手段と、算出された前記盛り上がり度が前記盛り上がり度基準値よりも大きい場合に、視聴を中断した後に前記放送番組が盛り上がったこと又はその盛り上がり度をユーザに通知するための通知手段を備えたものである。
【０００９】
また、本発明に係るテレビジョン装置の制御方法は、放送番組の盛り上がりをユーザに通知するための方法であって、前記放送番組に関する情報を用いて該放送番組の盛り上がり度の判定基準となる盛り上がり度基準値を求める基準値算定ステップと、前記放送番組の視聴中断後において当該放送番組に関する前記情報に基づいて盛り上がり度を算出する盛り上り度算出ステップと、算出された盛り上がり度を前記盛り上がり度基準値と比較する比較ステップと、前記比較ステップでの比較結果に応じて、前記放送番組が盛り上がったこと又は前記盛り上がり度をユーザに通知する通知ステップを有する。
【発明の効果】
【００１０】
本発明によれば、視聴中断の前後における放送番組の盛り上がりを比較し、視聴中断前に比べて視聴中断後の当該放送番組の方が盛り上がったと判断された場合にその旨をユーザに通知する。これにより、ユーザは不必要な通知による煩わしさから解放される一方で、視聴中断後においてユーザが予期しないほどに盛り上がったシーンが放送番組中に存在した場合には、その旨をユーザに通知することができる。
【００１１】
また本発明によれば、ユーザが視聴中断した放送番組を録画するとともに、視聴中断の前後における放送番組の盛り上がりを比較し、視聴中断前に比べて視聴中断後の当該放送番組の方が盛り上がったと判断された場合にその旨をユーザに通知する。これにより、ユーザが興味を失った結果、その視聴を中断した場合でも、ユーザが予期しなかった盛り上がりシーンを見逃すことなく視聴できる。
【発明を実施するための最良の形態】
【００１２】
以下に、本発明に係る第１乃至第５の実施形態について順を追って説明する。
図１は、本発明の第１の実施形態を適用したテレビジョン装置の接続例を示した図である。
テレビジョン装置１はアンテナ２に接続され、図示しないテレビジョン送信局から放送波を受信する。ユーザはリモートコントローラ（以下、リモコンと略称する）３を用いて、テレビジョン装置１に対してチャンネルの選局要求を送信する。放送番組の映像や、盛り上がりシーン検出の通知はモニタ４に出力され、放送番組の音声はスピーカ５に出力されることで、ユーザに供される。なお、本発明の適用上、表示手段としてのモニタ４及び音声出力手段としてのスピーカ５等についてその構成形態の如何は問わない。
【００１３】
図２は、図１に示したテレビジョン装置１の内部構成の要部を例示したブロック図である。なお本例では、選局手段を構成する２つのチューナ１３Ａ、１３Ｂと、これらに対応した復号手段を構成する２つのデコーダ１２Ａ、１２Ｂが設けられている。
ＣＰＵ（中央演算処理装置）１１は、テレビジョン装置１の制御全般を司る制御中枢部の役目をもつ。ＣＰＵ１１はテレビジョン装置１の内部状態及び後述する赤外線受光部１４から受け取った操作情報に基づいて、後述する内部バス１７に接続された各構成ブロックを制御する。また、ＣＰＵ１１は後述するデコーダ１２Ａ及びデコーダ１２Ｂから出力される放送番組の音声信号に基づいて放送番組の盛り上がりを検出し、放送番組が盛り上がったことをユーザに通知するか否かについて判定する。
【００１４】
デコーダ１２Ａ及びデコーダ１２Ｂは、チューナ１３Ａ及びチューナ１３Ｂより放送信号をそれぞれ受信した後で解析を行い、当該信号を映像信号と音声信号とデータに分離し、符号化された映像信号及び音声信号をデコードする。また、これらのデコーダは、デコードした映像信号及び音声信号を映像音声出力回路１６へ出力し、データに含まれる番組名や放送開始時刻等の番組属性情報をメモリ１５に記録する。また、音声信号については放送番組の盛り上がりの度合いを判定するためにＣＰＵ１１にも出力される。
【００１５】
チューナ１３Ａ及びチューナ１３Ｂは、アンテナ２から放送波を受信して放送信号を取り出す処理を行う。各チューナはＣＰＵ１１より選局処理が指示されると、指示された周波数の選局を行い、その周波数に含まれる放送信号を抽出してデコーダ１２Ａ及びデコーダ１２Ｂにそれぞれ出力する。なおチューナ１３Ａ及びチューナ１３Ｂは、例えば一般的なデジタルテレビジョン受像機において、地上デジタル放送用チューナ及びＢＳ／広帯域ＣＳデジタル放送用チューナを指す。
【００１６】
赤外線受光部１４は、ユーザがリモコン３を使って入力した指示に基づき、リモコン３から送信されてくる赤外線信号を受信し、ＣＰＵ１１に操作情報を送信する。なお本実施形態では赤外線によるリモコン３からの信号受信を行っているが、これに限らず無線等、各種の検出波（電磁波、音波等）を用いてもよい。
【００１７】
メモリ１５は、ＣＰＵ１１及びその他の各構成ブロックが作成したデータを一時保存する。メモリ１５の具体例としては、テレビジョン装置１に電源が供給されている間のみデータを保持可能な揮発性メモリが挙げられる。例えばＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）を用いればよい。あるいは、電源供給が停止された状態であっても記録したデータを保持し続けることが可能な不揮発性メモリが挙げられる。例えばフラッシュメモリやＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）メモリを用いることができる。
【００１８】
映像音声出力回路１６は、デコーダ１２Ａ又はデコーダ１２Ｂが出力した映像信号を受信し、これをモニタ４に適するフォーマットに変換して出力する。また映像音声出力回路１６は、デコーダ１２Ａ又はデコーダ１２Ｂが出力した音声信号を受信し、これをスピーカ５に適するフォーマットに変換して出力する。加えて、映像音声出力回路１６は出力制御処理も行い、ＣＰＵ１１からの指示に従ってデコーダ１２Ａ又はデコーダ１２Ｂのうち、いずれかより出力された映像信号及び音声信号をモニタ４及びスピーカ５にそれぞれ出力する。内部バス１７は、テレビジョン装置１内の各構成ブロック間でのデータ送受信を行うために設けられている。
【００１９】
図３は、図１及び図２に示したテレビジョン装置１の機能ブロック図である。
放送受信・再生部１００Ａ及び１００Ｂは、選局制御部３００から指示された選局チャンネルに基づいて選局処理を行い、アンテナ２で受信した放送波から多重化された番組データに関して、受信信号を映像信号と音声信号とデータに分離する。分離した映像信号及び音声信号は所定の方式、例えばＭＰＥＧ２（Ｍｏｖｉｎｇ  Ｐｉｃｔｕｒｅ  Ｅｘｐｅｒｔｓ  Ｇｒｏｕｐ  ２：カラー動画像符号化方式標準化グループの第２規格）方式により圧縮符号化されている。そこで、放送受信・再生部１００Ａ、１００Ｂは映像信号及び音声信号をそれぞれ復号して出力制御部７００に出力し、データから番組属性情報を抽出して該情報を番組情報管理部４００に出力する。
【００２０】
本例において番組データは、放送番組に係る映像信号や音声信号等をＭＰＥＧ２トランスポート・ストリーム（Ｔｒａｎｓｐｏｒｔ  Ｓｔｒｅａｍ：ＴＳ）方式により多重化されている。「番組属性情報」とは、放送コンテンツの識別情報（ＩＤ）や放送されるチャンネル、番組タイトル、放送開始日時、放送時間等であり、これらの情報は盛り上がり検出等に用いる。また、放送受信・再生部１００Ａ、１００Ｂは、選局制御部３００から選局チャンネルの情報を受け取った場合に、盛り上がり検出部５００に対して選局通知を出力する。加えて、放送受信・再生部１００Ａ、１００Ｂは、音声信号を盛り上がり検出部５００に出力する。
【００２１】
ユーザインタフェース部２００は、ユーザからの操作指示、例えば「チャンネルアップ」、「Ｃｈ．Ｘ選局」等の指示を受け取り、指示に従った動作がなされるよう選局制御部３００に対して選局要求を出力する。また、ユーザインタフェース部２００は、通知画面作成部６００によって作成された画面を見てユーザの操作指示を受け取る。その際、例えば盛り上がりを検出した放送番組のチャンネルへの選局を行うための選局要求が選局制御部３００に出力される。また、ユーザインタフェース部２００は、ユーザからの操作指示を受け取って、出力制御部７００に対して通知画面の消去指示を出力する。なお、ユーザからの指示は通常、リモコン３を介してなされ、この場合に「はい」、「いいえ」等の選択肢を含む操作画面を伴うこともある。
【００２２】
選局制御部３００は、盛り上がり検出部５００からの各種情報に基づいて、ユーザインタフェース部２００から受け取った選局要求に従った選局がなされるように、選局チャンネルの情報を放送受信・再生部１００Ａ及び１００Ｂへ出力する。ここで盛り上がり検出部５００からの情報は下記の通りである。盛り上がり検出部５００が放送受信・再生部１００Ａ、放送受信・再生部１００Ｂのうち、いずれの盛り上がり度を検出しているかの状態（以下、盛り上がり度検出状態と称す。）盛り上がり度基準値の検出処理を行った時間（以下、盛り上がり度基準値の検出時間と称す。）なお「盛り上がり度基準値」とは、ユーザが放送番組を視聴している期間において盛り上がり度の判定基準となる値を指す。つまり、これはユーザに対して放送番組の盛り上がりを通知するか否かを判定する上での基準値であり、その詳細については後述する。
【００２３】
選局制御部３００は選局チャンネルや選局時刻のデータをメモリに記憶し、また、選局要求を受信した場合に盛り上がり検出部５００に対して、視聴中の放送番組に関する盛り上がり度基準値の検出要求を出力する。選局制御部３００は、ユーザが選局操作を行った場合やテレビジョン装置１への電源を遮断した場合等において、視聴を中断した放送番組に係る盛り上がり度の検出要求を出力する。加えて、選局制御部３００は出力制御部７００に出力切替要求を出力することで、放送受信・再生部１００Ａ又は１００Ｂのいずれかが出力する映像信号をモニタ４に送出し、音声信号をスピーカ５へ送出する。その際、選局制御部３００は放送受信・再生部１００Ａ、１００Ｂのいずれかを示す情報を出力元情報としてメモリに記憶する。
【００２４】
番組情報管理部４００は、放送番組や放送予定番組に関する番組属性情報をメモリに記憶する。番組属性情報は、放送受信・再生部１００Ａ及び１００Ｂにより定期的に更新される。また、番組情報管理部４００は、選局制御部３００や盛り上がり検出部５００からの要求に従って番組属性情報を出力する。
【００２５】
盛り上がり検出部５００は、上記の盛り上がり度基準値や盛り上がり度の検出を行う検出処理手段を構成し、放送番組の視聴中断後における当該放送番組の盛り上がり度を算出してこれを盛り上がり度基準値と比較する。そして、盛り上がり度と前記盛り上がり度基準値との比較結果に基づく出力信号が後述の通知画面作成部６００に送出される。
【００２６】
例えば盛り上がり検出部５００は、選局制御部３００からの検出要求に従って、放送受信・再生部１００Ａ又は１００Ｂからの音声信号の音量レベルと、番組情報管理部４００からの番組属性情報から、放送番組の盛り上がり度基準値を検出する。その後、盛り上がり検出部５００は、検出した盛り上がり度基準値と、検出対象が放送受信・再生部１００Ａであるか又は放送受信部１００Ｂであるかを示す識別情報と、盛り上がり度基準値の検出時間をメモリに記憶する。また、選局制御部３００からの検出要求に従って盛り上がり検出部５００は、放送受信・再生部１００Ａ又は１００Ｂから受信した音声信号の音量レベルと、番組情報管理部４００から取得した番組属性情報を用いて、放送番組の盛り上がり度を算出する。その後、記憶した盛り上がり度基準値と盛り上がり度を盛り上がり検出部５００が比較する。その結果、盛り上がり度が盛り上がり度基準値を上回った場合には、盛り上がり検出部５００から通知画面作成部６００に対して、通知画面の作成要求を出力する。なお盛り上がり度基準値及び盛り上がり度の算出処理の詳細については後述する。また、通知画面とは、放送番組の盛り上がりについてユーザに通知するための通知用画像を表示した画面であり、その作成要求等については後で詳述する。
【００２７】
通知画面作成部６００は、視聴中断後に放送番組が盛り上がったことをユーザに通知するための通知手段を構成する。つまり、盛り上がり検出部５００から受け取った通知画面の作成要求に従って通知画面作成部６００が通知画面の作成用信号を出力制御部７００に出力する。
【００２８】
出力制御部７００は、選局制御部３００からの出力切替要求に従い、モニタ４へ出力する映像信号及びスピーカ５へ出力する音声信号を切り替える。また出力制御部７００は、通知画面作成部６００が出力した通知画面の形成に係る画像を放送番組の表示画面上に重ね合わせてモニタ４に出力する。なお、通知画面の表示中に出力制御部７００が出力切り替え要求を受信した場合、モニタ４上の通知画面を消去する。また、ユーザインタフェース部２００から通知画面の消去指示を出力制御部７００が受信した場合も、表示中の通知画面を消去する。
【００２９】
図４は、番組情報管理部４００が記憶する番組属性情報を表形式で例示したものである。列情報には、識別情報（ＩＤ１〜６）、チャンネル（「Ｃｈ．」の後にチャンネル番号を表す文字Ｘ，Ｙ，Ｚ，Ｐを付して示す）を含む。そして、番組名（「番組」の後に２つの記号を付して示す）、放送開始時刻（Ｔｃｓ１〜４）、放送終了時刻（Ｔｃｅ１〜４）が含まれる。
【００３０】
例えばＴ００１で示す行は、識別情報「ＩＤ１」、チャンネル「Ｃｈ．Ｘ」で番組名「番組○○」という放送番組が、時刻「Ｔｃｓ１」から時刻「Ｔｃｅ１」まで放送されることを表す。Ｔ００２で示す行は、識別情報「ＩＤ２」、チャンネル「Ｃｈ．Ｙ」で番組名「番組××」という放送番組が、時刻「Ｔｃｓ２」から時刻「Ｔｃｅ２」まで放送されることを表す。Ｔ００３で示す行は、識別情報「ＩＤ３」、チャンネル「Ｃｈ．Ｚ」で番組名「番組＊＊」という放送番組が、時刻「Ｔｃｓ１」から時刻「Ｔｃｅ１」まで放送されることを表す。Ｔ００４で示す行は、識別情報「ＩＤ４」、チャンネル「Ｃｈ．Ｐ」で番組名「番組★★」という放送番組が、時刻「Ｔｃｓ２」から時刻「Ｔｃｅ２」まで放送されることを表す。Ｔ００５で示す行は、識別情報「ＩＤ５」、チャンネル「Ｃｈ．Ｘ」で番組名「番組△△」という放送番組が、時刻「Ｔｃｓ３」から時刻「Ｔｃｅ３」まで放送されることを表す。Ｔ００６で示す行は、識別情報「ＩＤ６」、チャンネル「Ｃｈ．Ｙ」で番組名「番組□□」という放送番組が、時刻「Ｔｃｓ４」から時刻「Ｔｃｅ４」まで放送されることを表す。
【００３１】
図５は、ユーザが視聴した放送番組と視聴時間の関係を例示したものであり、縦軸に放送番組の名称及びチャンネルを配置し、横軸に時刻をとって表している。図中に黒く塗りつぶした部分は各放送番組をユーザが視聴した時間を表し、破線で囲んだ部分は、放送番組をユーザが視聴していない時間を表す。
ａ）を付した矢印で示す時点は、時刻「Ｔｖｓ１」にてユーザがテレビジョン装置１を起動し、チャンネル「Ｃｈ．Ｘ」で放送中の番組名「番組○○」の視聴を開始したことを表す。また、ｂ）を付した矢印で示す時点は、時刻「Ｔｖｅ１」にてユーザがチャンネルを「Ｃｈ．Ｙ」に切り替え、番組名「番組××」の視聴を開始したことを表す。ｃ）を付した矢印で示す時点は、時刻「Ｔｖｅ２」にてユーザがチャンネルを「Ｃｈ．Ｚ」に切り替え、番組名「番組＊＊」の視聴を開始したことを表す。そしてｄ）を付した矢印で示す時点は、時刻「Ｔｖｅ３」にてユーザがチャンネルを「Ｃｈ．Ｐ」に切り替え、番組名「番組★★」の視聴を開始したことを表す。
【００３２】
図６は、ユーザインタフェース部２００から選局要求を受信した際の、選局制御部３００の動作例を示すフローチャートである。なお、図中で視聴時間の判定に使用している値「Ｔｌ」は、ユーザの選局操作に関して、チャンネルを短時間で変更しながら目的の放送番組を探す、いわゆるザッピングを行っているか否かを判定するための閾値である。ここではＴｌの値が、予めテレビジョン装置１内で設定済みであるとして説明するが、この値をユーザ操作によって任意の値に設定できるように構成してもよい。
【００３３】
以下に、図５のａ）の場合について選局開始直後の動作を説明する。なお、これ以後に示す判断処理における「Ｙ」は肯定的な判断結果「はい」を意味し、「Ｎ」は否定的な判断結果「いいえ」を意味する。
【００３４】
先ず、選局制御部３００は、ユーザインタフェース部２００からチャンネル「Ｃｈ．Ｘ」への選局要求を受信すると、盛り上がり検出部５００による盛り上がり度の検出状態を示すステータス情報を取得する（Ｓ０６０１）。この場合、盛り上がり検出部５００は盛り上がり度の検出を行っていないため、選局制御部３００はステータス情報として「盛り上がり度未検出」状態を取得する。次に、記憶済みの出力元情報と選局チャンネルに基づいて、放送受信・再生部１００Ａが出力する放送番組をユーザが視聴中であるか否かを選局制御部３００が判定する（Ｓ０６０２）。この場合、まだユーザは放送番組の視聴を行っておらず、Ｓ０６０２での判断結果がＮに該当する。よって、現在時刻「Ｔｖｓ１」と、記憶した選局時刻と、番組属性情報に基づき、放送受信・再生部１００Ｂが出力する放送番組の視聴時間を選局制御部３００が算出する（Ｓ０６１７）。ただしこの時点では、ユーザが放送番組を視聴していないので視聴時間は０である。
【００３５】
次ステップでは、Ｓ０６０１で取得した盛り上がり度の検出状態について、「放送受信・再生部１００Ａの盛り上がり度を検出中」であるか否かを、選局制御部３００が判定する（Ｓ０６１８）。すなわち、放送受信・再生部１００Ａを対象として、その放送番組に関する盛り上がり度を検出しているか否かが判定される。この場合、判定結果が「盛り上がり度未検出」であるため、放送受信・再生部１００Ａに対して選局チャンネル「Ｃｈ．Ｘ」が出力される（Ｓ０６１９）。その際、選局制御部３００は、選局時刻として時刻「Ｔｖｓ１」を、選局チャンネル「Ｃｈ．Ｘ」とともにメモリに記憶する。
【００３６】
次に、選局制御部３００は、出力制御部７００に対して出力切替要求を送出し、これにより放送受信・再生部１００Ａの映像信号及び音声信号をモニタ４及びスピーカ５にそれぞれ出力するように制御する（Ｓ０６２０）。この際、選局制御部３００は出力元情報として「放送受信・再生部１００Ａ」をメモリに記憶する。その後、Ｓ０６１７で算出した視聴時間の長さを選局制御部３００が判定する（Ｓ０６２１）。この場合の視聴時間は０であるのでステップＳ０６２４に進む。つまり、選局制御部３００は盛り上がり検出部５００に対して盛り上がり度基準値の検出要求を出力するが、この要求は、放送受信・再生部１００Ａが出力するチャンネル「Ｃｈ．Ｘ」の放送番組についての、盛り上がり度基準値の検出要求である（Ｓ０６２４）。そして、処理が終了する。
【００３７】
次に、図５のｂ）を例にしてユーザがチャンネルを切り替えた場合の動作について説明する。なお、時刻「Ｔｖｓ１」から時刻「Ｔｖｅ１」までの時間の長さは値「Ｔｌ」以上であるものとする。
先ず、ユーザインタフェース部２００から「Ｃｈ．Ｙ」への選局要求を受信すると、前述の通り選局制御部３００は、盛り上がり検出部５００の盛り上がり度検出状態を示すステータス情報を取得する（Ｓ０６０１）。この場合も前述の場合と同様に選局制御部３００がステータス情報として「盛り上がり度未検出」状態を取得する。次に、記憶済みの出力元情報に基づいて、放送受信・再生部１００Ａが出力する放送番組をユーザが視聴していると選局制御部３００が判定し（Ｓ０６０２のＹ）、ステップＳ０６０３に進む。つまり、現在時刻「Ｔｖｅ１」と、記憶済みの選局時刻「Ｔｖｓ１」と、番組属性情報に基づいて、選局制御部３００は放送受信・再生部１００Ａの視聴時間を算出する（Ｓ０６０３）。
【００３８】
次に、ステップＳ０６０１で取得した盛り上がり度検出状態が、「放送受信・再生部１００Ｂの盛り上がり度を検出中」であるか否かを選局制御部３００が判定する（Ｓ０６０４）。この場合、判定結果は「盛り上がり度未検出」であるため、放送受信・再生部１００Ｂに対して選局チャンネル「Ｃｈ．Ｙ」が出力される（Ｓ０６０５）。その際、選局制御部３００は、選局時刻として時刻「Ｔｖｅ１」を、選局チャンネル「Ｃｈ．Ｙ」とともにメモリに記憶する。次に、選局制御部３００は出力制御部７００に対して出力切替要求を送出し、これにより放送受信・再生部１００Ｂの映像信号及び音声信号を出力する（Ｓ０６０６）。この際、選局制御部３００は出力元情報として「放送受信・再生部１００Ｂ」をメモリに記憶する。
【００３９】
その後、ステップＳ０６０３で算出した視聴時間の長さを選局制御部３００が判定する（Ｓ０６０７）。この場合、視聴時間が値「Ｔｌ」以上であるので、Ｓ０６０７の判断結果はＴｌ以上とされ、ステップＳ０６０９に進む。つまり、選局制御部３００は盛り上がり検出部５００に対して盛り上がり度の検出要求を出力する。この要求は、放送受信・再生部１００Ａが出力するチャンネル「Ｃｈ．Ｘ」の放送番組に関する盛り上がり度の検出要求である（Ｓ０６０９）。なお、ステップＳ０６０７において仮に視聴時間が０より大きく、かつ値「Ｔｌ」よりも小さい場合は、選局制御部３００がこれをザッピングに拠るものと判定する。その結果、盛り上がり検出部５００に対して盛り上がり度基準値のリセット要求が出力される（Ｓ０６０８）。この要求は、放送受信・再生部１００Ｂが出力する放送番組に関する盛り上がり度基準値をリセットして初期値に戻すための要求である。
【００４０】
また、ステップＳ０６０７において仮に視聴時間が０であった場合には、上記リセット要求や、盛り上がり度の検出要求は出力されずにステップＳ０６１０に進む。つまり、選局制御部３００は盛り上がり検出部５００に対して、盛り上がり度基準値の検出要求を出力する。この要求は、放送受信・再生部１００Ｂが出力するチャンネル「Ｃｈ．Ｙ」の放送番組に関する盛り上がり度基準値の検出要求である（Ｓ０６１０）。
【００４１】
次に、図５のｃ）においてユーザがチャンネルを切り替えた場合の動作を説明する。なお、番組名「番組○○」の視聴時間の方が番組名「番組××」の視聴時間に比べて短いものとし、番組名「番組××」の視聴時間は値「Ｔｌ」より長いと仮定する。
先ず、ユーザインタフェース部２００から「Ｃｈ．Ｚ」への選局要求を受信すると、前述の通り選局制御部３００は、盛り上がり検出部５００の盛り上がり度検出状態を示すステータス情報を取得する（Ｓ０６０１）。この場合、選局制御部３００はステータス情報として「放送受信・再生部１００Ａの盛り上がり度検出中」の状態を取得する。次に、記憶済みの出力元情報に基づいて、放送受信・再生部１００Ａが出力する放送番組をユーザが視聴していないと選局制御部３００が判定し（Ｓ０６０２のＮ）、ステップＳ０６１７に進む。つまり、選局制御部３００は、現在時刻「Ｔｖｅ２」と、記憶済みの選局時刻「Ｔｖｅ１」と、番組属性情報に基づいて放送受信・再生部１００Ｂの視聴時間を算出する（Ｓ０６１７）。
【００４２】
そして、選局制御部３００は、上記ステップＳ０６０１で取得した盛り上がり度検出状態が「放送受信・再生部１００Ａの盛り上がり度検出中」であると判定し（Ｓ０６１８のＹ）、ステップＳ０６２５に進む。ここでは放送受信・再生部１００Ａにて選局中のチャンネルを、ユーザが選択したか否かを選局制御部３００が判定する（Ｓ０６２５）。この場合、ユーザはチャンネル「Ｃｈ．Ｚ」を選択し、放送受信・再生部１００Ａはチャンネル「Ｃｈ．Ｘ」を選局しているので、Ｓ０６２５での判断結果がＮに該当し、ステップＳ０６２６に進む。つまり選局制御部３００は盛り上がり検出部５００から、放送受信・再生部１００Ａに関する盛り上がり度基準値の検出時間を取得する（Ｓ０６２６）。そして、取得した盛り上がり度基準値の検出時間が視聴時間以下であるか否かを選局制御部３００が判定する（Ｓ０６２７）。この場合、視聴時間の方が盛り上がり度基準値の検出時間よりも長いので、Ｓ０６２７の判断結果がＹに該当し、ステップＳ０６１９に進む。つまり放送受信・再生部１００Ａに対して選局チャンネル「Ｃｈ．Ｚ」が出力される（Ｓ０６１９）。この際、選局制御部３００は、選局時刻としての時刻「Ｔｖｅ２」を、選局チャンネル「Ｃｈ．Ｚ」とともにメモリに記憶する。
【００４３】
次に、選局制御部３００は出力制御部７００に対して出力切替要求を送出し、これにより放送受信・再生部１００Ａの映像信号及び音声信号をモニタ４及びスピーカ５にそれぞれ出力する（Ｓ０６２０）。その際、選局制御部３００は出力元情報として「放送受信・再生部１００Ａ」をメモリに記憶する。その後、Ｓ０６１７で算出した視聴時間の長さを選局制御部３００が判定する（Ｓ０６２１）。この場合、視聴時間が値「Ｔｌ」以上であるので、ステップＳ０６２１での判定結果がＴｌ以上に該当し、ステップＳ０６２３に進む。つまり、選局制御部３００は盛り上がり検出部５００に対して盛り上がり度の検出要求を出力する（Ｓ０６２３）。この要求は、放送受信・再生部１００Ｂが出力する放送番組に関するチャンネル「Ｃｈ．Ｙ」の盛り上がり度の検出要求である。そして、選局制御部３００は盛り上がり検出部５００に対して盛り上がり度基準値の検出要求を送出する（Ｓ０６２４）。この要求は、放送受信・再生部１００Ａが出力するチャンネル「Ｃｈ．Ｚ」の放送番組に関する盛り上がり度基準値の検出要求である。
【００４４】
なお上記の例とは異なり、番組名「番組××」の視聴時間の方が番組名「番組○○」の視聴時間よりも短かったと仮定すると、ステップＳ０６２７での判断結果がＮに該当し、ステップＳ０６２８に進む。つまり、放送受信・再生部１００Ｂに対して選局チャンネル「Ｃｈ．Ｚ」が出力される（Ｓ０６２８）。この際、選局制御部３００は、選局時刻としての時刻「Ｔｖｅ２」を、選局チャンネル「Ｃｈ．Ｚ」とともにメモリに記憶する。次に、選局制御部３００は出力制御部７００に対して出力切替要求を送出し、これにより放送受信・再生部１００Ｂの映像信号及び音声信号を出力する（Ｓ０６２９）。この際、選局制御部３００は出力元情報として「放送受信・再生部１００Ｂ」をメモリに記憶する。そして最後に、選局制御部３００は盛り上がり検出部５００に対して盛り上がり度基準値の検出要求を出力する（Ｓ０６３０）。この要求は、放送受信・再生部１００Ｂが出力するチャンネル「Ｃｈ．Ｚ」の放送番組に関する盛り上がり度基準値の検出要求である。
【００４５】
また、仮にステップＳ０６２１において視聴時間が０より大きく、かつ値「Ｔｌ」より小さかったと判定された場合には、選局制御部３００がこれをザッピングに拠るものと判定し、ステップＳ０６２２に進む。つまり選局制御部３００は盛り上がり検出部５００に対して盛り上がり度基準値のリセット要求を送出する（Ｓ０６２２）。この要求は、放送受信・再生部１００Ａが出力する放送番組に関する盛り上がり度基準値のリセット要求である。その後、選局制御部３００は盛り上がり検出部５００に対して盛り上がり度基準値の検出要求を送出する（Ｓ０６２４）。この要求は、放送受信・再生部１００Ａが出力するチャンネル「Ｃｈ．Ｚ」の放送番組に関する盛り上がり度基準値の検出要求である。
【００４６】
あるいは、仮に時刻「Ｔｖｅ２」において盛り上がり度を検出しているチャンネル「Ｃｈ．Ｘ」への選局要求が発生した場合は、Ｓ０６２５での判断結果がＹに該当するので、ステップＳ０６２０に進む。つまり選局制御部３００は出力制御部７００に対して出力切替要求を送出し、これにより放送受信・再生部１００Ａの映像信号及び音声信号を出力する（Ｓ０６２０）。なおステップＳ０６２０以降の処理については前述の通りである。
次に図５のｄ）の例においてユーザがチャンネルを切り替えた場合の動作を説明する。なお、番組名「番組＊＊」の視聴時間の方が番組名「番組××」の視聴時間よりも短いものとし、番組名「番組＊＊」の視聴時間は値「Ｔｌ」より長いと仮定する。
【００４７】
先ず、ユーザインタフェース部２００から「Ｃｈ．Ｐ」への選局要求を受信すると、前述の通り選局制御部３００は、盛り上がり検出部５００の盛り上がり度検出状態を示すステータス情報を取得する（Ｓ０６０１）。この場合、選局制御部３００はステータス情報として「放送受信・再生部１００Ｂの盛り上がり度検出中」の状態を取得する。次に、記憶済みの出力元情報に基づいて、放送受信・再生部１００Ａが出力する放送番組をユーザが視聴していると選局制御部３００が判定し（Ｓ０６０２のＹ）、ステップＳ０６０３に進む。つまり、選局制御部３００は、現在時刻「Ｔｖｅ３」と、記憶した選局時刻「Ｔｖｅ２」と、番組属性情報に基づいて、放送受信・再生部１００Ａの視聴時間を算出する（Ｓ０６０３）。
【００４８】
次に、選局制御部３００は、前ステップＳ０６０１で取得した盛り上がり度検出状態が「放送受信・再生部１００Ｂの盛り上がり度検出中」であると判定し（Ｓ０６０４のＹ）、ステップＳ０６１１に進む。ここで放送受信・再生部１００Ｂが選局中のチャンネルをユーザが選択したか否かを、選局制御部３００が判定する（Ｓ０６１１）。この場合、ユーザはチャンネル「Ｃｈ．Ｐ」を選択し、放送受信・再生部１００Ｂはチャンネル「Ｃｈ．Ｙ」を選局しているので、Ｓ０６１１の判断結果がＮに該当し、ステップＳ０６１２に進む。つまり、選局制御部３００は、盛り上がり検出部５００から放送受信・再生部１００Ｂの盛り上がり度基準値の検出時間を取得する（Ｓ０６１２）。そして、取得した盛り上がり度基準値の検出時間が視聴時間以下であるか否かを選局制御部３００が判定する（Ｓ０６１３）。この場合、盛り上がり度基準値の検出時間の方が視聴時間よりも長いので、ステップＳ０６１３での判断結果がＮに該当し、放送受信・再生部１００Ａに対して選局チャンネル「Ｃｈ．Ｐ」が出力される（Ｓ０６１４）。この際、選局制御部３００は、選局時刻として時刻「Ｔｖｅ３」を、選局チャンネル「Ｃｈ．Ｐ」とともにメモリに記憶する。次に、選局制御部３００は出力制御部７００に対して出力切替要求を送出し、これにより放送受信・再生部１００Ａの映像信号及び音声信号を出力する（Ｓ０６１５）。その際、選局制御部３００は出力元情報として「放送受信・再生部１００Ａ」をメモリに記憶する。次に、選局制御部３００は盛り上がり検出部５００に対して盛り上がり度基準値の検出要求を送出する（Ｓ０６１６）。この要求は、放送受信・再生部１００Ａが出力するチャンネル「Ｃｈ．Ｐ」の放送番組に関する盛り上がり度基準値の検出要求である。
【００４９】
上記の例とは異なり、番組名「番組＊＊」の視聴時間の方が番組名「番組××」の視聴時間よりも長かったと仮定すると、ステップＳ０６１３での判断結果がＹに該当し、ステップＳ０６０５に進む。ここで放送受信・再生部１００Ｂに対して選局チャンネル「Ｃｈ．Ｐ」が出力される（Ｓ０６０５）。なお、これ以降の処理は前述の通りである。
【００５０】
あるいは、仮に時刻「Ｔｖｅ３」において盛り上がり度を検出しているチャンネル「Ｃｈ．Ｙ」への選局が行われた場合は、ステップＳ０６１１での判断結果がＹに該当し、ステップＳ０６０６に進む。ここでは選局制御部３００が出力制御部７００に対して出力切替要求を送出し、これにより放送受信・再生部１００Ｂの映像信号及び音声信号を出力する（Ｓ０６０６）。なお、これ以降の処理については前述の通りである。
【００５１】
上記したように選局制御部３００は、放送受信・再生部１００Ａ又は１００Ｂのいずれかが出力する放送番組のうち、ユーザが長時間に亘って視聴していた放送番組に対して、その盛り上がり度基準値及び盛り上がり度を検出すべく動作制御を行う。ただし、選局制御部３００の動作については前述の構成形態に限らず、選局前において選局の許否をユーザに確認してもらうように構成してもよい。また、後で視聴した方の放送番組を優先して取り扱い、その盛り上がり度基準値及び盛り上がり度を検出するように構成してもよい。
【００５２】
図７ａ）は、放送番組「番組○○」の放送開始時点から終了時点までの音量レベルの時間的変化を上段にグラフで示すとともに、チャンネル切替時における各放送番組の放送時間とユーザの視聴時間の関係を下段に示している。
本例では、チャンネル「Ｃｈ．Ｘ」で放送中の番組名「番組○○」を視聴している最中に、チャンネル「Ｃｈ．Ｙ」で放送中の番組名「番組××」へとユーザがチャンネルを切り替えた場合を示す。図中のグラフは、番組名「番組○○」の放送開始から終了までの音量レベルの変化を示しており、横軸に時刻をとり、縦軸に音量レベルをとって表したものである。なお図中に黒く塗りつぶした部分は放送番組をユーザが視聴した時間を表し、破線で囲んだ部分は放送番組をユーザが視聴していない時間を表している。
【００５３】
図示のようにユーザは、番組名「番組○○」を時刻「Ｔｖｓ１」から時刻「Ｔｖｅ１」まで視聴した後、チャンネルを「Ｃｈ．Ｘ」から「Ｃｈ．Ｙ」に切り替え、番組名「番組××」を時刻「Ｔｃｅ２」まで視聴したことが分かる。なお、時刻「Ｔｖｓ１」から時刻「Ｔｖｅ１」までの時間は前述した値「Ｔｌ」に比べて長いものとする。
また、番組名「番組○○」の音量レベルは、時間経過につれてグラフ線Ｌ００１のように変化している。ユーザが番組名「番組○○」を視聴している期間において最大音量レベルは時刻「Ｔｓｔ１」での値「Ｌｓｔ１」であり、視聴中断後において音量レベルがＬｓｔ１を超えた時点が時刻「Ｔｐ１」である。従って、この場合には放送番組「番組○○」の視聴中断後において当該番組が盛り上ったことを示しており、その旨がユーザに通知される。
【００５４】
図７ｂ）は、放送番組「番組△△」の放送開始時点から終了時点までの音量レベルの時間的変化を上段にグラフで示すとともに、チャンネル切替時における各放送番組の放送時間とユーザの視聴時間の関係を下段に示している。
本例では、チャンネル「Ｃｈ．Ｘ」で放送中の番組名「番組△△」を視聴している最中に、チャンネル「Ｃｈ．Ｙ」で放送中の番組名「番組□□」へとユーザがチャンネルを切り替えた場合を示す。図中のグラフは、番組名「番組△△」の放送開始から終了までの音量レベルの変化を示しており、横軸に時刻をとり、縦軸に音量レベルをとって表したものである。なお図中に黒く塗りつぶした部分や、破線で囲んだ部分の意味は図７ａ）で説明した通りである。
【００５５】
図示のようにユーザは、番組名「番組△△」を時刻「Ｔｖｓ３」から時刻「Ｔｖｅ３」まで視聴した後、チャンネルを「Ｃｈ．Ｘ」から「Ｃｈ．Ｙ」に切り替え、番組名「番組□□」を時刻「Ｔｃｅ４」まで視聴したことが分かる。なお、時刻「Ｔｖｓ３」から時刻「Ｔｖｅ３」までの時間は前述した値「Ｔｌ」に比べて長いものとする。
また、番組名「番組△△」の音量レベルは、時間経過につれてグラフ線Ｌ００２のように変化している。ユーザが番組名「番組△△」を視聴している期間において最大音量レベルは時刻「Ｔｓｔ３」での値「Ｌｓｔ３」である。視聴中断後における最大音量レベルは時刻「Ｔｐ３」での値「Ｌｐ３」であるが、Ｌｐ３はＬｓｔ３よりも小さい。従って、この場合には放送番組「番組△△」の視聴中断後において当該番組がそれほど盛り上ってはいない状況を示しており、ユーザへの通知は行われない。
【００５６】
図８は、選局制御部３００から盛り上がり度基準値の検出要求を受信した際の、盛り上がり検出部５００の動作例を示すフローチャートである。以下では、図７ａ）の場合について盛り上がり度基準値の検出処理を説明する。
選局制御部３００から盛り上がり度基準値の検出要求を受信すると、盛り上がり検出部５００は受信した盛り上がり度基準値の検出要求及びこの要求を受信した時刻に基づいて、番組情報管理部４００から放送番組の番組属性情報を取得する（Ｓ０８０１）。対象となる放送番組は、盛り上がり度基準値の検出を行うべき放送番組である。この場合、選局チャンネルが「Ｃｈ．Ｘ」であって、上記要求を受信した時刻が「Ｔｖｓ１」であるので、盛り上がり検出部５００は、図４のＴ００１に示した番組属性情報を取得する。
【００５７】
次ステップにて盛り上がり検出部５００は、最大音量レベルと、盛り上がり度基準値の検出に係る処理時間を０で初期化する（Ｓ０８０２）。その後、当該放送番組の終了までＳ０８０４乃至Ｓ０８０８の処理が繰り返される（Ｓ０８０３）。つまり、盛り上がり検出部５００は、選局制御部３００から盛り上がり度の検出要求を受信したか否かを判断する（Ｓ０８０４）。この場合、時刻「Ｔｖｅ１」までは盛り上がり検出部５００が盛り上がり度の検出要求を受信しないので、ステップＳ０８０４での判断結果がＮに該当する。よって、選局制御部３００から盛り上がり度基準値のリセット要求を受信したか否かを盛り上がり検出部５００が判断する（Ｓ０８０５）。この場合、盛り上がり検出部５００が盛り上がり度基準値のリセット要求を受信しないので、ステップＳ０８０５での判断結果がＮに該当する。よって、盛り上がり度基準値の検出要求に従って、放送受信・再生部１００Ａ又は１００Ｂが出力する音声信号について音量レベルを盛り上がり検出部５００が取得する（Ｓ０８０６）。この場合、放送受信・再生部１００Ａの盛り上がり度基準値を検出するため、盛り上がり検出部５００は、放送受信・再生部１００Ａが出力する音声信号からその音量レベルを取得することになる。
【００５８】
次ステップにて盛り上がり検出部５００は取得した音量レベルと最大音量レベルとを比較する（Ｓ０８０７）。その結果、取得した音量レベルの方が最大音量レベルよりも大きい場合（Ｓ０８０７のＹ）には、最大音量レベルを、取得した音量レベルに置き換えてレベル値を更新する（Ｓ０８０８）。その後、Ｓ０８０３に戻り、前述の処理を繰り返す（Ｓ０８０９）。こうして盛り上がり検出部５００は、盛り上がり度基準値の検出処理を実行している期間での最大音量レベルを取得する。この場合、時刻「Ｔｖｓ１」から時刻「Ｔｓｔ１」の間はＳ０８０７での判断結果がＹに該当し、それ以降はＳ０８０７での判断結果がＮに該当するため、最大音量レベルがＬｓｔ１となる。その後、図７ａ）に示す時刻「Ｔｖｅ１」において、選局制御部３００は盛り上がり検出部５００に対して盛り上がり度の検出要求を出力する。この場合、ステップＳ０８０４での判断結果がＹに該当し、よってステップＳ０８０４乃至Ｓ０８０８の繰り返し処理を抜けて、盛り上がり度基準値の検出に関する処理時間を盛り上がり検出部５００が取得する（Ｓ０８１０）。
【００５９】
次ステップで盛り上がり検出部５００は、取得した最大音量レベルと、当該放送番組について記憶している盛り上がり度基準値とを比較する（Ｓ０８１１）。その結果、取得した最大音量レベルの方が、当該放送番組について記憶している盛り上がり度基準値よりも大きい場合（Ｓ０８１１のＹ）に、盛り上がり検出部５００は、最大音量レベルを当該放送番組の盛り上がり度基準値としてメモリに記憶する（Ｓ０８１２）。そして、盛り上がり検出部５００は、前ステップＳ０８１０で取得した処理時間を、記憶済みの当該放送番組に関する盛り上がり度基準値の検出時間に加算する（Ｓ０８１３）。この場合、記憶済みの盛り上がり度基準値及び処理時間が存在しないため、盛り上がり度基準値はＬｓｔ１となり、盛り上がり度基準値検出時間は「Ｔｖｅ１−Ｔｖｓ１」となる。
【００６０】
なおステップＳ０８０５において、盛り上がり検出部５００が選局制御部３００から盛り上がり度基準値のリセット要求を受信した場合には、判断結果がＹに該当し、よって盛り上がり度基準値を更新せずに処理が終了する。一方、図７に示すｂ）の例において盛り上がり度基準値の検出処理を行った場合は、番組名「番組△△」の盛り上がり度基準値はＬｓｔ３となり、上記処理時間は「Ｔｖｅ３−Ｔｖｓ３」となる。
【００６１】
こうして、ユーザがチャンネルを切り替えながら放送番組を視聴していた場合でも、ユーザが当該放送番組を視聴している期間中の音量レベルに基づいて盛り上がり検出部５００が盛り上がり度基準値を検出する。また、ユーザがザッピングを行っている期間には当該放送番組の内容をユーザが把握できていないと考えられるため、この場合には盛り上がり度基準値の判定が行われないように除外することが望ましい。
【００６２】
図９は、選局制御部３００から盛り上がり度の検出要求を受信した際の、盛り上がり検出部５００の動作例を示すフローチャートである。以下では、図７ａ）の場合について盛り上がり度の検出処理を説明する。
選局制御部３００から盛り上がり度の検出要求を受信すると、盛り上がり検出部５００は盛り上がり度の検出要求及びこの要求を受信した時刻に基づいて、盛り上がり度検出を行うべき放送番組の番組属性情報を番組情報管理部４００から取得する（Ｓ０９０１）。この場合、盛り上がり検出を行うべきチャンネルが「Ｃｈ．Ｘ」であり、上記要求を取得した時刻が「Ｔｖｅ１」であるので、選局制御部３００が図４のＴ００１に示す番組属性情報を取得する。
【００６３】
次に盛り上がり検出部５００は、前述した盛り上がり度基準値の検出処理によって検出済みとされる、当該放送番組に関する盛り上がり度基準値を取得する（Ｓ０９０２）。この場合、盛り上がり度基準値はＬｓｔ１となる。その後、盛り上がり検出部５００は当該放送番組の終了までステップＳ０９０４乃至Ｓ０９０９の処理を繰り返す（Ｓ０９０３）。つまり、選局制御部３００から当該放送受信・再生部に関する盛り上がり度基準値の検出要求を受信したか否かを盛り上がり検出部５００が判断する（Ｓ０９０４）。この場合、盛り上がり度の検出要求を受信した後に盛り上がり度基準値の検出要求を受信しないので、ステップＳ０９０４での判断結果がＮに該当する。よって盛り上がり検出部５００は、盛り上がり度の検出要求に従って、放送受信・再生部１００Ａ又は１００Ｂが出力する音声信号についてその音量レベルを取得する（Ｓ０９０５）。この場合、放送受信・再生部１００Ａの盛り上がり度を検出するため、盛り上がり検出部５００は放送受信・再生部１００Ａが出力する音声信号をもとにその音量レベルを取得する。
【００６４】
次に盛り上がり検出部５００は、取得した音量レベルと盛り上がり度基準値を比較し、取得した音量レベルの方が盛り上がり度基準値よりも大きいか否かを判定する（Ｓ０９０６）。取得した音量レベルの方が盛り上がり度基準値に比べて大きい場合には、ステップＳ０９０６での判断結果がＹに該当する。よって盛り上がり検出部５００は、出力制御部７００から通知画面を表示中であるか否かを示す情報を取得し（Ｓ０９０７）、現時点で通知画面を表示中であるか否かを判断する（Ｓ０９０８）。その結果、通知画面の表示中でない場合には、ステップＳ０９０８での判断結果がＮに該当し、盛り上がり検出部５００は通知画面作成部６００に対して通知画面の作成要求を出力する（Ｓ０９０９）。その後、ステップＳ０９０３に戻って前述の処理を繰り返す（Ｓ０９１０）。この場合、時刻「Ｔｐ１」の時点で音量レベルが盛り上がり度基準値「Ｌｓｔ１」を超え、しかも通知画面の表示中でないので、通知画面の作成要求が出力される。なお、通知画面の表示中はステップＳ０９０８での判断結果がＹに該当するため、通知画面作成部６００に対する通知画面の作成要求は出力されない。
【００６５】
一方、図７のｂ）の例において盛り上がり度検出処理を行った場合には、番組名「番組△△」の終了までの間、ステップＳ０９０６での判断結果がＮに該当するため、通知画面作成部６００に対して通知画面の作成要求が出力されることはない。
図１０は、ユーザへの通知画像の表示例を概略的に示したイメージ図である。つまり、図７ａ）に示した時刻「Ｔｐ１」において、通知画面作成部６００が作成した通知画面Ｆ０１０２を、放送受信・再生部１００Ｂが出力する映像信号に係る表示画面Ｆ０１０１に重ね合わせ、その表示結果をモニタ４に出力した様子を例示している。
【００６６】
通知画面作成部６００は、ユーザへの通知用画像を表示する通知画面Ｆ０１０２を用意し、その上に各種のボタンを画面に呈示する。例えば、以下に示すボタンが通知画面に描画される。
・盛り上がりが検出された放送受信・再生部１００Ａの出力する放送番組を、ユーザが視聴したい場合に選択するためのボタンＦ０１０３。
・放送受信・再生部１００Ａの出力する放送番組をユーザが視聴することなく、放送受信・再生部１００Ｂが出力する放送番組の視聴をユーザが継続したい場合に選択するためのボタンＦ０１０４。
【００６７】
つまりユーザがボタンＦ０１０３をリモコン３で選択した場合には、放送受信・再生部１００Ａが出力する放送番組を視聴するために、ユーザインタフェース部２００は選局制御部３００に対して「Ｃｈ．Ｘ」への選局指示を出力する。一方、ユーザがボタンＦ０１０４をリモコン３で選択した場合には、ユーザインタフェース部２００は上記選局指示を出力せず、出力制御部７００に対して通知画面の消去指示が出力される。
【００６８】
このように、ユーザが放送番組を視聴していた期間における音量レベルに基づいて盛り上がり度基準値を規定する。そして、ユーザが視聴を中断した後における音量レベルが盛り上がり度基準値を越えた場合のみ、視聴中断した放送番組が盛り上がったことをユーザに通知する。これにより、ユーザに対する通知画面が頻繁に表示されないように防止し、ユーザの煩わしさを解消することができる。
【００６９】
なお、本実施形態ではユーザが放送番組を視聴していた間の音量レベルの最大値を盛り上がり度基準値として規定したが、これに限らず、ユーザが放送番組を視聴していた期間における音量レベルの平均値を算出してこれを盛り上がり度基準値としてもよい。また、本実施形態では盛り上がり度基準値の初期値を０として扱ったが、これ以外の実施形態も勿論可能である。例えば予めユーザが設定した値を盛り上がり度基準値の初期値として設定し、ユーザの視聴中であってもさらに一定の盛り上がりを見せない限り、ユーザへの盛り上がりの通知を行わないように構成してもよい。
【００７０】
また、本実施形態では、選局制御部３００が盛り上がり度基準値の検出要求や盛り上がり度の検出要求を出力するタイミングとして、ユーザが選局を行った場合を示した。しかし本発明の適用上はこれに限定されない。例えばユーザが放送番組の視聴予約を行える構成とし、視聴予約を行った時刻に選局制御部３００が自動的に選局を行った場合でも、盛り上がり度基準値の検出要求や盛り上がり度の検出要求が出力される構成にしてもよい。
【００７１】
さらに、本実施形態において通知画面の表示中には通知画面の作成要求を出力しないように構成したが、通知画面を閉じた後も一定時間が経過するまでの間は通知画面の作成要求を出力しないように構成してもよい。
加えて、本実施形態では放送番組に係る映像信号の表示画面上に、ユーザへの通知画面を重ね合わせる表示形態としたが、ユーザへの盛り上がりの通知形態がこれに限定される訳ではない。例えばモニタ４に設置されたＬＥＤ（Ｌｉｇｈｔ  Ｅｍｉｔｔｉｎｇ  Ｄｉｏｄｅ）等の発光手段を点灯することでユーザに通知するといった、各種の形態で実施することができる。
【００７２】
次に、本発明に係る第２の実施形態について、図１１乃至１６に示す装置を例にして説明する。第１の実施形態では盛り上がり度の検出に音声信号を利用したが、本実施形態では、放送番組の瞬間視聴率を利用する。この情報はコンピュータネットワーク、例えばインターネットに接続された視聴率管理サーバから取得することができる。なお、本実施形態において第１の実施形態と重複する部分については説明を省略する。
【００７３】
図１１は、本発明の第２の実施形態を適用したテレビジョン装置の接続例を示した図である。テレビジョン装置１はインターネット６を介してデータ通信可能に接続され、同じくインターネット６を介して通信可能に接続されている視聴率管理サーバ７から放送番組の瞬間視聴率を取得する。
【００７４】
視聴率管理サーバ７は、放送番組の瞬間視聴率をリアルタイムに算出しており、テレビジョン装置１からの要求に従って、指定された放送番組の瞬間視聴率のデータを出力する。
図１２は、図１１に示したテレビジョン装置１の内部構成の要部を例示したブロック図である。
【００７５】
ＣＰＵ１１１は、図２のＣＰＵ１１の機能に加えて、ネットワークインタフェース１８に対して、視聴率管理サーバ７から放送番組の瞬間視聴率を取得するためのデータ送信を指示する。またＣＰＵ１１１は、ネットワークインタフェース１８が出力した瞬間視聴率に基づいて放送番組の盛り上がりを検出し、盛り上がりをユーザに通知するか否かを判定する。
【００７６】
ネットワークインタフェース１８は、インターネット６を介したデータ送信の指示がＣＰＵ１１１によってなされると、指示されたデータを、インターネット６経由で視聴率管理サーバ７に出力する。また、視聴率管理サーバ７よりインターネット６経由で瞬間視聴率をネットワークインタフェース１８が受信した場合に、受信した瞬間視聴率をＣＰＵ１１１へ出力する。
【００７７】
図１３は、図１１及び図１２に示したテレビジョン装置１の機能ブロック図である。
盛り上がり検出部５１０は、選局制御部３００から受け取った盛り上がり度基準値の検出要求に従って、番組情報管理部４００から番組属性情報を取得する。そして、取得した番組属性情報に基づいて盛り上がり検出部５１０は視聴率受信部８００に対して瞬間視聴率の取得要求を定期的に送信する。その後、視聴率受信部８００から取得した瞬間視聴率と番組属性情報を用いて、盛り上がり検出部５１０は放送番組の盛り上がり度基準値を検出する。なお、瞬間視聴率の取得要求には、盛り上がり度の検出要求に基づく放送番組を識別するための番組属性情報や時刻情報が含まれており、指定した時刻における放送番組の瞬間視聴率を要求できるものとする。また、選局制御部３００から受け取った盛り上がり度の検出要求に従って、盛り上がり検出部５１０が番組情報管理部４００から番組属性情報を取得する。そして、取得した番組属性情報に基づいて盛り上がり検出部５１０は視聴率受信部８００に対して瞬間視聴率の取得要求を定期的に送信する。その後に盛り上がり検出部５１０は、視聴率受信部８００から受信した瞬間視聴率と番組属性情報を用いて放送番組の盛り上がり度を検出する。
【００７８】
視聴率受信部８００は、盛り上がり検出部５１０から受け取った瞬間視聴率の取得要求に従って、インターネット経由で視聴率管理サーバ７から放送番組の瞬間視聴率を取得する。そして視聴率受信部８００は、取得した瞬間視聴率を盛り上がり検出部５１０に出力する。
図１４ａ）は、放送番組「番組○○」の放送開始時点から終了時点までの瞬間視聴率の時間的変化を上段にグラフで示すとともに、チャンネル切替時における、各放送番組の放送時間とユーザの視聴時間の関係を下段に示している。
【００７９】
本例では、チャンネル「Ｃｈ．Ｘ」で放送中の番組名「番組○○」を視聴している最中に、チャンネル「Ｃｈ．Ｙ」で放送中の番組名「番組××」へとユーザがチャンネルを切り替えた場合を示す。図中のグラフは、番組名「番組○○」の放送開始から終了までの瞬間視聴率の変化を示しており、横軸に時刻をとり、縦軸に瞬間視聴率をとって表したものである。なお図中黒く塗りつぶした部分は放送番組をユーザが視聴した時間を表し、破線で囲んだ部分は、放送番組をユーザが視聴していない時間を表している。
【００８０】
図示のようにユーザは、番組名「番組○○」を時刻「Ｔｖｓ１」から時刻「Ｔｖｅ１」まで視聴した後、チャンネルを「Ｃｈ．Ｘ」から「Ｃｈ．Ｙ」に切り替え、番組名「番組××」を時刻「Ｔｃｅ２」まで視聴したことが分かる。なお、時刻「Ｔｖｓ１」から時刻「Ｔｖｅ１」までの時間は前述した値「Ｔｌ」に比べて長いものとする。
【００８１】
また、番組名「番組○○」の瞬間視聴率は、時間経過につれてグラフ線Ｒ００１のように変化している。ユーザが番組名「番組○○」を視聴している期間において最大瞬間視聴率は時刻「Ｔｓｔ１」での値「Ｒｓｔ１」であり、視聴中断後において瞬間視聴率がＲｓｔ１を超えた時点が時刻「Ｔｐ１」である。従って、この場合には放送番組「番組○○」の視聴中断後において当該番組が盛り上ったことを示しており、その旨がユーザに通知される。
【００８２】
図１４ｂ）は、放送番組「番組△△」の放送開始時点から終了時点までの瞬間視聴率の時間的変化を上段にグラフで示すとともに、チャンネル切替時における、各放送番組の放送時間とユーザの視聴時間の関係を下段に示している。本例では、チャンネル「Ｃｈ．Ｘ」で放送中の番組名「番組△△」を視聴している最中に、チャンネル「Ｃｈ．Ｙ」で放送中の番組名「番組□□」へとユーザがチャンネルを切り替えた場合を示す。図中のグラフは、番組名「番組△△」の放送開始から終了までの瞬間視聴率の変化を示しており、横軸に時刻をとり、縦軸に瞬間視聴率をとって表したものである。なお図中黒く塗りつぶした部分や、破線で囲んだ部分の意味は図１４ａ）で説明した通りである。
【００８３】
図示のようにユーザは、番組名「番組△△」を時刻「Ｔｖｓ３」から時刻「Ｔｖｅ３」まで視聴した後、チャンネルを「Ｃｈ．Ｘ」から「Ｃｈ．Ｙ」に切り替え、番組名「番組□□」を時刻「Ｔｃｅ４」まで視聴したことが分かる。なお、時刻「Ｔｖｓ３」から時刻「Ｔｖｅ３」までの時間は前述した値「Ｔｌ」に比べて長いものとする。
また、番組名「番組△△」の瞬間視聴率は、時間経過につれてグラフ線Ｒ００２のように変化している。ユーザが番組名「番組△△」を視聴している期間において最大瞬間視聴率は時刻「Ｔｓｔ３」での値「Ｒｓｔ３」である。視聴中断後における最大瞬間視聴率は時刻「Ｔｐ３」での値「Ｒｐ３」であるが、Ｒｐ３はＲｓｔ３よりも小さい。従って、この場合には放送番組「番組△△」の視聴中断後において当該番組がそれほど盛り上ってはいない状況を示しており、ユーザへの通知は行われない。
【００８４】
図１５は、選局制御部３００から盛り上がり度基準値の検出要求を受信した際の、盛り上がり検出部５１０の動作例を示すフローチャートである。以下では、図１４ａ）の場合について盛り上がり度基準値の検出処理を説明する。
【００８５】
選局制御部３００から検出要求を受信すると、盛り上がり検出部５１０はこの検出要求及びこの要求を受信した時刻に基づいて、盛り上がり度基準値の検出を行うべき放送番組の番組属性情報を番組情報管理部４００から取得する（Ｓ１５０１）。この場合、選局チャンネルが「Ｃｈ．Ｘ」であって、上記要求を受信した時刻が「Ｔｖｓ１」であるため、図４のＴ００１に示す番組属性情報を盛り上がり検出部５１０が取得する。次に盛り上がり検出部５１０は、最大瞬間視聴率及び盛り上がり度基準値の検出に係る処理時間を０で初期化する（Ｓ１５０２）。その後、当該放送番組の終了までステップＳ１５０４乃至Ｓ１５０８の処理を繰り返す（Ｓ１５０３）。つまり、選局制御部３００から盛り上がり度の検出要求を受信したか否かを盛り上がり検出部５１０が判断する（Ｓ１５０４）。この場合、時刻「Ｔｖｅ１」までは盛り上がり度の検出要求を盛り上がり検出部５１０が受信しないため、ステップＳ１５０４での判断結果がＮに該当する。よって、選局制御部３００から盛り上がり度基準値のリセット要求を受信したか否かについて盛り上がり検出部５１０が判断する（Ｓ１５０５）。この場合、盛り上がり検出部５１０は盛り上がり度基準値のリセット要求を受信しないため、ステップＳ１５０５での判断結果がＮに該当する。よって、ステップＳ１５０１で取得した番組属性情報に基づいて、盛り上がり検出部５１０は視聴率受信部８００に対して瞬間視聴率の取得要求を出力した上で、視聴率受信部８００から当該放送番組の処理時刻における瞬間視聴率を取得する（Ｓ１５０６）。この場合、番組名「番組○○」の盛り上がり度基準値を検出するため、盛り上がり検出部５１０が番組名「番組○○」の瞬間視聴率を取得する。
【００８６】
次に盛り上がり検出部５１０は、取得した瞬間視聴率と最大瞬間視聴率を比較し、取得した瞬間視聴率が最大瞬間視聴率より大きいか否かを判定する（Ｓ１５０７）。その結果、取得した瞬間視聴率の方が最大瞬間視聴率に比べて大きい場合（Ｓ１５０７のＹ）には、盛り上がり検出部５１０が最大瞬間視聴率を、取得した瞬間視聴率に置き換えて更新する（Ｓ１５０８）。その後、Ｓ１５０３に戻って前述の処理を繰り返す（Ｓ１５０９）。こうして盛り上がり度基準値の検出処理を実行している期間での最大瞬間視聴率を盛り上がり検出部５１０が取得する。この場合、時刻「Ｔｖｓ１」から時刻「Ｔｓｔ１」までの間はステップＳ１５０７での判断結果がＹに該当し、それ以降はステップＳ１５０７での判断結果がＮに該当するため、最大瞬間視聴率はＲｓｔ１となる。その後、図１４ａ）に示す時刻「Ｔｖｅ１」において、選局制御部３００は盛り上がり検出部５１０に対して盛り上がり度の検出要求を出力する。この場合、ステップＳ１５０４での判断結果がＹに該当し、ステップＳ１５０３乃至Ｓ１５０９の繰り返し処理を抜けて、盛り上がり度基準値の検出に係る処理時間を盛り上がり検出部５１０が取得する（Ｓ１５１０）。そして、盛り上がり検出部５１０は、取得した最大瞬間視聴率が、当該放送番組について記憶している盛り上がり度基準値よりも大きいか否かを判定する（Ｓ１５１１）。その結果、取得した最大瞬間視聴率の方が上記盛り上がり度基準値に比べて大きい場合（Ｓ１５１１のＹ）に、盛り上がり検出部５１０は、最大瞬間視聴率を当該放送番組の盛り上がり度基準値としてメモリに記憶する（Ｓ１５１２）。最後に盛り上がり検出部５１０は、ステップＳ１５１０で取得した処理時間を、記憶している当該放送番組の盛り上がり度基準値の検出時間に加算する（Ｓ１５１３）。この場合、記憶済みの盛り上がり度基準値及び処理時間が存在しないので、盛り上がり度基準値はＬｓｔ１となり、盛り上がり度基準値の検出時間は「Ｔｖｅ１−Ｔｖｓ１」となる。
【００８７】
またステップＳ１５０５において、選局制御部３００から盛り上がり度基準値のリセット要求を盛り上がり検出部５１０が受信した場合は、ステップＳ１５０５での判断結果がＹに該当する。従って、盛り上がり度基準値を更新せずに処理が終了する。一方、図１４に示すｂ）の例において盛り上がり度基準値の検出処理を行った場合には、番組名「番組△△」の盛り上がり度基準値はＬｓｔ３となり、処理時間は「Ｔｖｅ３−Ｔｖｓ３」となる。
【００８８】
こうして、ユーザがチャンネルを切り替えながら放送番組を視聴していた場合でも、ユーザが当該放送番組を視聴している期間中の瞬間視聴率に基づいて盛り上がり検出部５１０が盛り上がり度基準値を検出する。また、ユーザがザッピングを行っている期間には当該放送番組の内容をユーザが把握できていないと考えられるため、この場合には盛り上がり度基準値の判定が行われないように除外することが望ましい。
【００８９】
図１６は、選局制御部３００から盛り上がり度の検出要求を受信した際の、盛り上がり検出部５１０の動作例を示すフローチャートである。以下では、図１４ａ）の場合について盛り上がり度の検出処理を説明する。
【００９０】
選局制御部３００から盛り上がり度の検出要求を受信すると、盛り上がり検出部５１０は盛り上がり度の検出要求及びこの要求を受信した時刻に基づいて、盛り上がり度検出を行うべき放送番組の番組属性情報を番組情報管理部４００から取得する（Ｓ１６０１）。この場合、盛り上がり検出を行うチャンネルが「Ｃｈ．Ｘ」であり、要求を取得した時刻が「Ｔｖｅ１」であるため、図４のＴ００１に示した番組属性情報を取得する。次に、前述した盛り上がり度基準値の検出処理によって検出済みとされる、当該放送番組に関する盛り上がり度基準値を盛り上がり検出部５１０が取得する（Ｓ１６０２）。この場合、盛り上がり度基準値はＬｓｔ１となる。その後、当該放送番組の終了までＳ１６０４乃至Ｓ１６０９の処理を繰り返す（Ｓ１６０３）。つまり盛り上がり検出部５１０は、選局制御部３００から当該放送受信・再生部に関する盛り上がり度基準値の検出要求を受信したか否かを判断する（Ｓ１６０４）。この場合、盛り上がり検出部５１０は盛り上がり度の検出要求を受信した後に盛り上がり度基準値の検出要求を受信しないので、ステップＳ１６０４での判断結果がＮに該当する。よって、ステップＳ１６０１で取得した番組属性情報に基づいて、盛り上がり検出部５１０が視聴率受信部８００に対して瞬間視聴率の取得要求を出力する。そして盛り上がり検出部５１０は、視聴率受信部８００から当該放送番組の処理時刻における瞬間視聴率を取得する（Ｓ１６０５）。この場合、番組名「番組○○」の盛り上がり度基準値を検出するため、番組名「番組○○」の瞬間視聴率を盛り上がり検出部５１０が取得する。
【００９１】
次に盛り上がり検出部５１０は、取得した瞬間視聴率の方が盛り上がり度基準値よりも大きいか否かを判定する（Ｓ１６０６）。取得した瞬間視聴率の方が盛り上がり度基準値に比べて大きい場合には、ステップＳ１６０６での判断結果がＹに該当する。よって盛り上がり検出部５１０は、出力制御部７００から通知画面を表示中であるか否かの情報を取得する（Ｓ１６０７）。ユーザに対して通知画面を表示中でない場合（Ｓ１６０８のＹ）に、盛り上がり検出部５１０は通知画面作成部６００に対して通知画面の作成要求を出力する（Ｓ１６０９）。その後、ステップＳ１６０３に戻って前述の処理を繰り返す（Ｓ１６１０）。この場合、時刻「Ｔｐ１」にて瞬間視聴率が盛り上がり度基準値「Ｒｓｔ１」を超え、従って通知画面の作成要求が通知画面作成部６００に対して出力される。
【００９２】
一方、図１４に示すｂ）の例において盛り上がり度の検出処理を行った場合は、番組名「番組△△」の終了までステップＳ１６０６での判断結果がＮに該当する。従って、ユーザへの通知画面の作成要求が知画面作成部６００に対して出力されることはない。なお、上記の説明ではユーザへの通知画面を表示している期間中は通知画面の作成要求を出力しないように構成したが、これに限定されない。例えば、前述した第１の実施形態と同様に通知画面を閉じた後でも一定時間が経過するまでは、盛り上がり検出部５１０が通知画面作成部６００に対して通知画面の作成要求を出力しないように構成してもよい。
【００９３】
以上のように、ユーザが放送番組を視聴していた期間における瞬間視聴率に基づいて盛り上がり度基準値を規定する。そして、ユーザが視聴を中断した後における瞬間視聴率が盛り上がり度基準値を越えた場合のみ、視聴中断した放送番組が盛り上がったことをユーザに通知する。これにより、通知画面が頻繁に表示されないように防止し、ユーザの煩わしさを解消することができる。
【００９４】
なお、本実施形態ではユーザが放送番組を視聴していた期間内での瞬間視聴率の最大値を盛り上がり度基準値として規定したが、これに限定される訳ではない。例えばユーザが放送番組を視聴していた期間内での瞬間視聴率の平均値を算出してこれを盛り上がり度基準値としてもよい。また、本実施形態では盛り上がり度基準値の初期値を０として扱ったが、これに限定されない。例えば予めユーザが設定した値を盛り上がり度基準値の初期値として設定し、ユーザの放送番組を視聴中であってもさらに一定の盛り上がりを見せない限り、ユーザへの盛り上がりの通知を行わないように構成してもよい。
【００９５】
また、本実施形態ではインターネットを介して通信可能に接続した視聴率管理サーバから瞬間視聴率を取得するように構成したが、家庭内のＰＣ（パーソナルコンピュータ）から取得する等、他の方法で瞬間視聴率を取得するように構成してもよい。
【００９６】
次に、本発明に係る第３の実施形態について、図１７乃至１９に示す装置を例にして説明する。第１の実施形態ではユーザが放送番組を視聴していた全時間を盛り上がり度基準値判定の対象範囲とした。これに対して本実施形態では、ユーザが視聴を中断した時点から一定時間遡った時点までの期間を、盛り上がり度基準値判定の対象範囲とする。なお、本実施形態において前述した第１及び第２の実施形態と重複する部分については説明を省略する。
【００９７】
図１７は、本発明の第３の実施形態を適用したテレビジョン装置１の機能ブロック図である。
盛り上がり検出部５２０は、図３の盛り上がり検出部５００の機能に加えて、選局制御部３００から受け取った盛り上がり度基準値の検出要求に従って放送番組の盛り上がり度基準値を検出する。その際には、視聴中断の時点から一定時間前の時点までの期間における音声信号の音量レベルを、放送受信・再生部１００Ａ又は１００Ｂから盛り上がり検出部５２０が受信する。この音量レベルの情報と、番組情報管理部４００から受信した番組属性情報を利用して放送番組の盛り上がり度基準値の検出が行われる。その後に盛り上がり検出部５２０は、検出した盛り上がり度基準値と、検出対象が放送受信・再生部１００Ａであるか又は１００Ｂであるかのいずれかを示す識別情報と、盛り上がり度基準値の検出時間をメモリに記憶する。なお、盛り上がり基準値の検出時間は、前述のように盛り上がり度基準値の検出処理を行った時間であり、盛り上がり度基準値検出に利用する一定時間ではないことに注意を要する。
【００９８】
図１８ａ）は、放送番組「番組○○」の放送開始時点から終了時点までの音量レベルの時間的変化を上段にグラフで示すとともに、チャンネル切替時における、各放送番組の放送時間とユーザの視聴時間の関係を下段に示している。本例では、チャンネル「Ｃｈ．Ｘ」で放送中の番組名「番組○○」を視聴している最中に、チャンネル「Ｃｈ．Ｙ」で放送中の番組名「番組××」へとユーザがチャンネルを切り替えた場合を示す。図中のグラフは、番組名「番組○○」の放送開始から終了までの音量レベルの変化を示しており、横軸に時刻をとり、縦軸に音量レベルをとって表したものである。なお図中黒く塗りつぶした部分は放送番組をユーザが視聴した時間を表し、破線で囲んだ部分は放送番組をユーザが視聴していない時間を表している。
【００９９】
図示のようにユーザは、番組名「番組○○」を時刻「Ｔｖｓ１」から時刻「Ｔｖｅ１」まで視聴した後、チャンネルを「Ｃｈ．Ｘ」から「Ｃｈ．Ｙ」に切り替え、番組名「番組××」を時刻「Ｔｃｅ２」まで視聴したことが分かる。なお、時刻「Ｔｖｓ１」から時刻「Ｔｖｅ１」までの時間は前述した値「Ｔｌ」に比べて長いものとする。
【０１００】
また、番組名「番組○○」の音量レベルは、時間経過につれてグラフ線Ｌ００３のように変化している。ユーザが番組名「番組○○」の視聴を中断した時刻から盛り上がり度基準値の検出範囲「Ｔｃ」分だけ遡った時点までの期間において最大音量レベルは時刻「Ｔｓｔ１´」での値「Ｌｓｔ１´」である。そして、視聴中断後に音量レベルがＬｓｔ１´を超えた時点が時刻「Ｔｐ１´」である。従って、この場合には放送番組「番組○○」の視聴中断後において当該番組が盛り上ったことを示しており、その旨がユーザに通知される。
【０１０１】
なお、盛り上がり度基準値の検出範囲「Ｔｃ」については、予めテレビジョン装置１内で規定されているものとするが、ユーザ操作によって検出範囲を任意に設定できるように構成してもよい。
【０１０２】
図１８ｂ）は、放送番組「番組△△」の放送開始時点から終了時点までの音量レベルの時間的変化を上段にグラフで示すとともに、チャンネル切替時における、各放送番組の放送時間とユーザの視聴時間の関係を下段に示している。本例では、チャンネル「Ｃｈ．Ｘ」で放送中の番組名「番組△△」を視聴している最中に、チャンネル「Ｃｈ．Ｙ」で放送中の番組名「番組□□」へとユーザがチャンネルを切り替えた場合を示す。図中のグラフは、番組名「番組△△」の放送開始から終了までの音量レベルの変化を示しており、横軸に時刻をとり、縦軸に音量レベルをとって表したものである。なお図中に黒く塗りつぶした部分や、破線で囲んだ部分の意味は図１８ａ）で説明した通りである。
【０１０３】
図示のようにユーザは、番組名「番組△△」を時刻「Ｔｖｓ３」から時刻「Ｔｖｅ３」まで視聴した後、チャンネルを「Ｃｈ．Ｘ」から「Ｃｈ．Ｙ」に切り替え、番組名「番組□□」を時刻「Ｔｃｅ４」まで視聴したことが分かる。なお、時刻「Ｔｖｓ３」から時刻「Ｔｖｅ３」までの時間は前述した値「Ｔｌ」に比べて長いものとする。
【０１０４】
また、番組名「番組△△」の音量レベルは、時間経過につれてグラフ線Ｌ００４のように変化している。ユーザが番組名「番組△△」の視聴を中断した時刻から盛り上がり度基準値の検出範囲「Ｔｃ」分だけ遡った時点までの期間内での最大音量レベルは時刻「Ｔｓｔ３´」での値「Ｌｓｔ３´」である。そして視聴中断後における最大音量レベルは時刻「Ｔｐ３´」での値「Ｌｐ３´」であるが、Ｌｐ３´はＬｓｔ３´より小さい。従って、この場合には放送番組「番組△△」の視聴中断後において当該番組がそれほど盛り上ってはいない状況を示しており、ユーザへの通知は行われない。
【０１０５】
図１９は、選局制御部３００から盛り上がり度基準値の検出要求を受信した際の、盛り上がり検出部５２０の動作例を示すフローチャートである。以下では、図１８ａ）の場合について盛り上がり度基準値の検出処理を説明する。
【０１０６】
選局制御部３００から盛り上がり度基準値の検出要求を受信すると、盛り上がり検出部５２０はこの検出要求及びこの要求を受信した時刻から、番組情報管理部４００から盛り上がり度基準値検出を行うべき放送番組の番組属性情報を取得する（Ｓ１９０１）。この場合、選局チャンネルが「Ｃｈ．Ｘ」であって、上記要求を受信した時刻が「Ｔｖｓ１」であるので、盛り上がり検出部５２０は図４のＴ００１に示した番組属性情報を取得する。
【０１０７】
次に盛り上がり検出部５２０は、最大音量レベル及び盛り上がり度基準値の検出に関する処理時間を０で初期化する（Ｓ１９０２）。その後、当該放送番組の終了までステップＳ１９０４乃至Ｓ１９０７の処理を繰り返す（Ｓ１９０３）。つまり盛り上がり検出部５２０は、選局制御部３００から盛り上がり度の検出要求を受信したか否かを判断する（Ｓ１９０４）。この場合、時刻「Ｔｖｅ１」までは盛り上がり度の検出要求を盛り上がり検出部５２０が受信しないため、ステップＳ１９０４での判断結果がＮに該当する。よって盛り上がり検出部５２０は、選局制御部３００から盛り上がり度基準値のリセット要求を受信したか否かを判断する（Ｓ１９０５）。この場合、盛り上がり度基準値のリセット要求を盛り上がり検出部５２０が受信しないため、ステップＳ１９０５での判断結果がＮに該当する。よって、盛り上がり度基準値の検出要求に従って、盛り上がり検出部５２０は放送受信・再生部１００Ａ又は１００Ｂが出力する音声信号について音量レベルを取得する（Ｓ１９０６）。この場合、放送受信・再生部１００Ａの盛り上がり度基準値を検出するため、盛り上がり検出部５２０は放送受信・再生部１００Ａが出力する音声信号からその音量レベルを取得する。
【０１０８】
次ステップにて盛り上がり検出部５２０は、取得した音量レベルのうち、現在の時刻から盛り上がり度基準値の検出範囲「Ｔｃ」だけ遡った期間内の分だけを、一時的にメモリに記憶する（Ｓ１９０７）。その後、ステップＳ１９０３に戻って前述の処理を繰り返す（Ｓ１９０８）。こうして盛り上がり検出部５２０は、現在の時刻から盛り上がり基準値の検出範囲の分だけ時間的に遡った時点までの期間に亘って音量レベルを取得する。その後、図１８ａ）に示す時刻「Ｔｖｅ１」にて、選局制御部３００は盛り上がり検出部５２０に対して盛り上がり度の検出要求を出力する。この場合、ステップＳ１９０４での判断結果がＹに該当し、Ｓ１９０３からＳ１９０８の繰り返し処理を抜けて、盛り上がり度基準値の検出に関する処理時間を盛り上がり検出部５２０が取得する（Ｓ１９０９）。その後、盛り上がり検出部５２０は、上記ステップＳ１９０７で一時的に記憶した音量レベルの最大値を、最大音量レベルとして取得する（Ｓ１９１０）。この場合、時刻「Ｔｖｅ１」から盛り上がり度基準値の検出範囲「Ｔｃ」分だけ遡った時点までの期間内における最大音量レベルはＬｓｔ１´である。
【０１０９】
次ステップにて盛り上がり検出部５２０は、取得した最大音量レベルが、当該放送番組について記憶している盛り上がり度基準値よりも大きいか否かを判定する（Ｓ１９１１）。その結果、取得した最大音量レベルの方が盛り上がり度基準値に比べて大きい場合（Ｓ１９１１のＹ）に、盛り上がり検出部５２０は最大音量レベルを当該放送番組の盛り上がり度基準値として記憶する（Ｓ１９１２）。最後に盛り上がり検出部５２０は、ステップＳ１９１０で取得した処理時間を、記憶済みである当該放送番組の盛り上がり度基準値の検出時間に加算する（Ｓ１９１３）。この場合、記憶している盛り上がり度基準値及び処理時間が存在しないため、盛り上がり度基準値はＬｓｔ１´となり、盛り上がり度基準値の検出時間は「Ｔｖｅ１−Ｔｖｓ１」となる。
【０１１０】
また、ステップＳ１９０５において選局制御部３００から盛り上がり度基準値のリセット要求を盛り上がり検出部５２０が受信した場合には、ステップＳ１９０５での判断結果がＹに該当し、盛り上がり度基準値を更新せずに処理が終了する。
【０１１１】
一方、図１８に示すｂ）の例において盛り上がり度基準値の検出処理を行った場合は、番組名「番組△△」の盛り上がり度基準値はＬｓｔ３´となり、上記処理時間は「Ｔｖｅ３−Ｔｖｓ３」となる。
【０１１２】
このように、本実施形態は、ユーザが視聴中断した時刻から一定時間だけ遡った時刻までの期間における音量レベルから盛り上がり度基準値を算出する。これによって、視聴開始直後に盛り上がりのピークを迎えた放送番組の場合でも、ユーザによる視聴中断の時点よりも放送番組が盛り上がりを呈した場合には、ユーザに対して盛り上がりの通知を適切に行うことができる。
【０１１３】
なお、本実施形態では放送番組の音量レベルを用いたが、第２の実施形態に示したように瞬間視聴率を利用してもよい。また、盛り上がり度基準値については、視聴中断した時刻から一定時間だけ遡った時点までの期間における音量レベルの最大値を用いたが、これに限定される訳ではない。例えば、ユーザが視聴を中断した時刻から一定時間だけ遡った時点までの期間における音量レベルに対してその平均値を算出してこれを盛り上がり度基準値として用いる構成にしてもよい。
【０１１４】
次に本発明に係る第４の実施形態について、図２０乃至２８に示す装置を例にして説明する。本実施形態では、ユーザが視聴を中断した放送番組を自動録画することにより、当該放送番組の盛り上がりを検出した際の盛り上がりシーンをユーザが事後的に視聴できるようにした構成について記述する。なお、本実施形態において前述した第１乃至第３の実施形態と重複する部分については説明を省略する。
【０１１５】
図２０は、本発明の第４の実施形態を適用したテレビジョン装置１の内部構成の要部を例示したブロック図である。
ＣＰＵ１１２は、図２に示したＣＰＵ１１の機能に加えて、デコーダ１２２Ａ及びデコーダ１２２Ｂが情報記録装置であるＨＤＤ１９に対して、映像信号及び音声信号を出力するように制御する。またＣＰＵ１１２は、赤外線受光部１４から受け取った制御情報に基づいてＨＤＤ１９に記録した映像信号及び音声信号を映像音声出力回路１６１に出力するように制御する。
【０１１６】
デコーダ１２２Ａ及びデコーダ１２２Ｂは、図２に示したデコーダ１２Ａ及びデコーダ１２Ｂの機能に加えて、ＣＰＵ１１２からの指示に基づいて映像信号及び音声信号をＨＤＤ１９に出力する。映像音声出力回路１６２は、図２に示した映像音声出力回路１６の機能に加えて、ＨＤＤ１９が出力する映像信号を受信し、これをモニタ４に適したフォーマットに変換して出力する。また映像音声出力回路１６２は、ＨＤＤ１９が出力した音声信号を受信し、スピーカ５に適するフォーマットに変換して出力する。そして、映像音声出力回路１６２は出力制御処理も行い、ＣＰＵ１１２からの指示に基づいてデコーダ１２２Ａ、デコーダ１２２Ｂ、又はＨＤＤ１９のいずれかによって出力された映像信号及び音声信号をモニタ４及びスピーカ５にそれぞれ出力する。
【０１１７】
ＨＤＤ１９は、デコーダ１２２Ａ及びデコーダ１２２Ｂが出力する映像信号及び音声信号を記録する。ＨＤＤ１９の具体的な例としては、ハードディスクドライブ装置が挙げられるが、これに限らず映像信号及び音声信号を記録できる十分な容量の記憶媒体であれば如何なるデバイスを使用しても構わない。
【０１１８】
図２１は、図２０に示したテレビジョン装置１の機能ブロック図である。
放送受信・再生部１３０Ａ及び１３０Ｂは、図３に示した放送受信・再生部１００Ａ及び１００Ｂの機能に加えて、放送番組記録部９００に対して圧縮符号化された映像信号及び音声信号を出力する。
【０１１９】
ユーザインタフェース部２３０は、図３のユーザインタフェース部２００の機能に加えて、録画済の放送番組に関する各種の操作情報をリモコン３から受信する。ユーザからの指示には、例えば「録画した放送番組を先頭から再生する」指示や、「盛り上がり部分を再生する」指示等が挙げられる。これらの指示をユーザインタフェース部２３０が受け取ると、指示に従った動作がなされるように、放送番組記録部９００に対して再生要求を出力する。
【０１２０】
選局制御部３３０は、図３に示した選局制御部３００の機能に加えて、盛り上がり度の検出状態や、放送番組記録部９００の状態に基づいて、選局チャンネルを放送受信・再生部１３０Ａ及び１３０Ｂへ出力する。これによってユーザインタフェース部２３０の受け取った選局要求に従って選局が行われる。その際、選局制御部３３０は、選局チャンネル、選局時刻をメモリに記憶する。また選局制御部３３０は、放送番組記録部９００に対して録画要求や録画中止要求を出力する。
【０１２１】
番組情報管理部４３０は、図３に示した番組情報管理部４００の機能に加えて、放送番組記録部９００からの要求に従って番組属性情報を出力する。盛り上がり検出部５３０は、図３に示した盛り上がり検出部５００の機能に加えて、記憶した盛り上がり度基準値と盛り上がり度を比較する。その結果、盛り上がり度が盛り上がり度基準値を上回った場合に、盛り上がり検出部５３０は通知画面作成部６３０に対して、録画した放送番組を視聴するための通知画面（以下、録画再生用通知画面という）の作成要求を出力する。
【０１２２】
通知画面作成部６３０は、図３に示した通知画面作成部６３０の機能に加えて、盛り上がり検出部５３０から録画再生用通知画面の作成要求を受け取り、録画した放送番組を視聴するための通知画面を作成する。そして、通知画面作成部６３０は出力制御部７３０に対して、上記通知画面の表示のために映像信号を出力する。
出力制御部７３０は、図３に示した出力制御部７００の機能に加えて、放送番組記録部９００から受け取った出力切替要求に従い、モニタ４へ出力する映像信号及びスピーカ５へ出力する音声信号を切り替える。
【０１２３】
放送番組記録部９００は、選局制御部３３０から受け取った録画要求に従って、放送受信・再生部１３０Ａ又は１３０Ｂが出力する映像信号及び音声信号を、番組情報管理部４３０から取得した番組属性情報と関連付けて録画する。また放送番組記録部９００は、選局制御部３３０から受け取った録画中止要求に従って録画処理を中止する。さらには、ユーザインタフェース部２３０からの再生要求に従って放送番組記録部９００は、録画した放送番組の映像信号及び音声信号をそれぞれ復号してから出力制御部７３０に出力する。そして放送番組記録部９００は出力制御部７３０に対して出力切替要求を出力し、映像信号をモニタ４に出力し、音声信号をスピーカ５へ出力する。その際、放送番組記録部９００は出力切替要求に対応した出力元情報をメモリに記憶する。さらに放送番組記録部９００は、現時点で出力している放送受信・再生部及び視聴時間を示す情報を選局制御部３３０から取得し、盛り上がり検出部５３０に対して盛り上がり度の検出要求を出力する。加えて放送番組記録部９００は、出力元情報と録画状態に基づいて、放送番組記録部９００の状態を示すステータス情報を選局制御部３３０に対して出力する。
【０１２４】
図２２は、ユーザが視聴した放送番組と視聴時間及び録画時間の関係を例示しており、縦軸に放送番組を配置し、横軸に時刻をとって表したものである。なお図中黒く塗りつぶした部分は放送番組を視聴した時間を表し、斜線部は当該放送番組を録画した時間を表す。また破線で囲んだ部分は、放送番組の視聴も録画もしていない時間を表す。
【０１２５】
ａ）を付した矢印で示す時点は、時刻「Ｔｖｓ１」にてユーザがテレビジョン装置１を起動し、チャンネル「Ｃｈ．Ｘ」で放送中の番組名「番組○○」についてユーザが視聴を開始したことを表す。またｂ）を付した矢印で示す時点は、時刻「Ｔｖｅ１」にてユーザがチャンネルを「Ｃｈ．Ｙ」に切り替え、番組名「番組××」の視聴を開始したことを表す。ｃ）を付した矢印で示す時点は、時刻「Ｔｒｓ１」にてユーザが録画した番組名「番組○○」の視聴を開始したことを表す。ｄ）を付した矢印で示す時点は、時刻「Ｔｖｓ２」にてユーザがチャンネルを「Ｃｈ．Ｚ」に切り替え、番組名「番組＊＊」の視聴を開始したことを表す。またｄ´）を付した矢印で示す時点は、上記ｄ）に代わって時刻「Ｔｖｓ２´」にてユーザがチャンネルを「Ｃｈ．Ｐ」に切り替え、番組名「番組★★」の視聴を開始したことを表す。
【０１２６】
図２３は、ユーザインタフェース部２３０から選局要求を受信した際の、選局制御部３３０の動作例を示すフローチャートである。
まず、図２２に示すａ）の場合について選局開始直後の動作を説明する。
【０１２７】
ユーザインタフェース部２３０からチャンネル「Ｃｈ．Ｘ」への選局要求を受信すると、選局制御部３３０は放送番組記録部９００の状態を示すステータス情報を取得する（Ｓ２３０１）。次に選局制御部３３０は、取得した放送番組記録部９００の状態に基づいて、放送受信・再生部１３０Ａが出力する放送番組を録画中に出力制御部７３０に出力しているか否かを判断する（Ｓ２３０２）。この場合、放送番組記録部９００は放送番組の録画を行っていないので、ステップＳ２３０２での判断結果がＮに該当する。次に選局制御部３３０は、取得した放送番組記録部９００の状態に基づいて、放送受信・再生部１３０Ｂが出力する放送番組を録画中に出力制御部７３０に出力しているか否かを判断する（Ｓ２３０３）。この場合、ステップＳ２３０３での判断結果がＮに該当する。
【０１２８】
その後に選局制御部３３０は、図６に示した処理を行い（Ｓ２３０４）、録画中の放送受信・再生部１３０Ａ又は１３０Ｂに選局チャンネルを出力したか否かを判断する（Ｓ２３０５）。この場合、放送番組記録部９００は放送番組を録画していないので、ステップＳ２３０５での判断結果がＮに該当する。よって、盛り上がり度の検出要求を出力したか否かを選局制御部３３０が判断する（Ｓ２３０７）。この場合、選局制御部３３０は盛り上がり度の検出要求を出力していないため、ステップＳ２３０７での判断結果がＮに該当し、処理が終了する。
【０１２９】
次に、図２２のｂ）の例においてユーザがチャンネルを切り替えた場合の動作を説明する。なお、時刻「Ｔｖｓ１」から時刻「Ｔｖｅ１」までの時間は値「Ｔｌ」以上であるものとする。
【０１３０】
ユーザインタフェース部２３０からチャンネル「Ｃｈ．Ｙ」への選局要求を受信すると、前述の通り選局制御部３３０は、放送番組記録部９００の状態を示すステータス情報を取得する（Ｓ２３０１）。そして選局制御部３３０は、放送受信・再生部１３０Ａ又は１３０Ｂが出力する放送番組を録画中に出力制御部７３０に出力しているか否かを判断する（Ｓ２３０２、Ｓ２３０３）。この場合も図２２に示すａ）の場合と同様に、放送番組の録画を行っていないので、図６に示した処理を行う（Ｓ２３０４）。
【０１３１】
その後選局制御部３３０は、録画中の放送受信・再生部１３０Ａ又は１３０Ｂに対して選局チャンネルを出力したか否かを判断する（Ｓ２３０５）。この場合、録画を行っていない放送受信・再生部１３０Ｂに対して選局チャンネルの出力がなされているため、ステップＳ２３０５での判断結果がＮに該当する。よって、盛り上がり度の検出要求を出力したか否かを選局制御部３３０が判断する（Ｓ２３０７）。この場合、選局制御部３３０は放送受信・再生部１３０Ａが出力する放送番組に関する盛り上がり度の検出要求を出力したため、ステップＳ２３０７での判断結果がＹに該当する。よって選局制御部３３０は録画要求を放送番組記録部９００に出力する（Ｓ２３０８）。この録画要求の対象となる放送番組は、盛り上がり度の検出要求を出力した放送受信・再生部１３０Ａによって出力される放送番組である。
【０１３２】
なお、録画中の放送受信・再生部に対して選局チャンネルが出力された場合は、録画中止要求が放送番組記録部９００に出力される（Ｓ２３０６）。この録画中止要求の対象となる放送番組は、選局チャンネルを出力した放送受信・再生部１３０Ａ又は１３０Ｂが出力する放送番組である。
【０１３３】
次に、図２２のｄ）の例においてユーザが録画中の放送番組を視聴中にチャンネルを切り替えた場合の動作を説明する。
ユーザインタフェース部２３０からチャンネル「Ｃｈ．Ｚ」への選局要求を受信すると、前述の通り選局制御部３３０は、放送番組記録部９００の状態を示すステータス情報を取得する（Ｓ２３０１）。次に選局制御部３３０は、放送受信・再生部１３０Ａが出力する放送番組を録画中に出力制御部７３０に出力しているか否かを判断する（Ｓ２３０２）。この場合、放送受信・再生部１３０Ａが出力する番組名「番組○○」を録画中に再生しているため、ステップＳ２３０２での判断結果がＹに該当する。よって、放送受信・再生部１３０Ｂに対して選局チャンネル「Ｃｈ．Ｚ」が出力される（Ｓ２３１２）。この際、選局制御部３３０は、選局時刻として時刻「Ｔｖｓ２」を、選局チャンネル「Ｃｈ．Ｚ」とともにメモリに記憶する。
【０１３４】
次ステップにて選局制御部３３０は、出力制御部７３０に対して出力切替要求を出力し、これにより放送受信・再生部１３０Ｂの映像信号及び音声信号を出力する（Ｓ２３１３）。この際、選局制御部３３０は出力元情報として「放送受信・再生部１３０Ｂ」をメモリに記憶する。最後に選局制御部３３０は、盛り上がり検出部５３０に対して、放送受信・再生部１３０Ｂが出力するチャンネル「Ｃｈ．Ｚ」の放送番組に関する盛り上がり度基準値の検出要求を出力する（Ｓ２３１４）。
【０１３５】
なお、放送受信・再生部１３０Ａが出力する放送番組を録画中に出力制御部７３０に出力せず（Ｓ２３０２のＮ）、かつ放送受信・再生部１３０Ｂが出力する放送番組を録画中に出力制御部７３０に出力している場合、Ｓ２３０３の判断結果がＹに該当する。よって、放送受信・再生部１３０Ａに対して選局チャンネル「Ｃｈ．Ｚ」が出力される（Ｓ２３０９）。この際、選局制御部３３０は、選局時刻としての時刻「Ｔｖｓ２」を、選局チャンネル「Ｃｈ．Ｚ」とともにメモリに記憶する。次に選局制御部３３０は、出力制御部７３０に対して出力切替要求を出力し、これにより放送受信・再生部１３０Ａの映像信号及び音声信号を出力する（Ｓ２３１０）。この際、選局制御部３３０は出力元情報として「放送受信・再生部１３０Ａ」をメモリに記憶する。最後に選局制御部３３０は、盛り上がり検出部５３０に対して放送番組の盛り上がり度基準値の検出要求を出力する（Ｓ２３１１）。この検出要求は放送受信・再生部１３０Ａが出力するチャンネル「Ｃｈ．Ｚ」の放送番組に対して行われる。
【０１３６】
次に、図２２のｄ´）の例においてユーザが録画終了した放送番組の視聴中にチャンネルを切り替えた場合の動作を説明する。
ユーザインタフェース部２３０からチャンネル「Ｃｈ．Ｐ」への選局要求を受信すると、前述の通り選局制御部３３０は、放送番組記録部９００の状態を示すステータス情報を取得する（Ｓ２３０１）。そして選局制御部３３０は、放送受信・再生部１３０Ａ又は１３０Ｂが出力する放送番組を録画中に出力制御部７３０に出力しているか否かを判断する（Ｓ２３０２、Ｓ２３０３）。この場合も図２２のａ）に示した例と同様に、放送番組の録画は行われていないため、図６に示した処理を行う（Ｓ２３０４）。これ以降の処理は前述の通りである。
【０１３７】
なお、図２２のｃ）に示す例の場合、ユーザインタフェース部２３０は選局制御部３３０に対しては選局要求を送信せず、放送番組記録部９００に対して再生要求を出力する。
図２４は、ユーザインタフェース部２３０から再生要求を放送番組記録部９００が受信した際の、当該放送番組記録部の動作例を示すフローチャートである。以下では、図２２ｃ）の場合について、再生要求を受信した場合の動作を説明する。なお、番組名「番組××」の視聴時間は値「Ｔｌ」より長いと仮定する。
【０１３８】
ユーザインタフェース部２３０から番組名「番組○○」の再生要求を受信すると、放送番組記録部９００は再生要求に従い、出力すべき放送番組及びその再生開始位置を特定する（Ｓ２４０１）。次に放送番組記録部９００は、出力制御部７３０に対し、放送番組を指定された再生開始位置から出力し（Ｓ２４０２）、そして出力切替要求を出力する（Ｓ２４０３）。これにより上記再生開始位置から出力した放送番組の映像信号及び音声信号が出力される。その際、放送番組記録部９００は出力元情報として「放送受信・再生部１００Ａ」をメモリに記憶する。
【０１３９】
次に放送番組記録部９００は、直前まで出力していた放送受信・再生部及び放送番組の視聴時間を示す情報を選局制御部３３０から取得する（Ｓ２４０４）。この場合、直前まで出力していた放送受信・再生部は「放送受信・再生部１３０Ｂ」であり、視聴時間は「Ｔｒｓ１−Ｔｖｅ１」である。その後、放送番組記録部９００はステップＳ２４０４で取得した視聴時間の長さを判定する（Ｓ２４０５）。この場合、番組名「番組××」の視聴時間は値「Ｔｌ」以上であるので、ステップＳ２４０５での判定結果が「Ｔｌ以上」に該当する。そこで、盛り上がり検出部５３０に対して放送番組の盛り上がり度の検出要求が出力される（Ｓ２４０７）。この検出要求の対象となる放送番組は、直前まで視聴していた放送受信・再生部１３０Ｂが出力する放送番組である。その後、図２５に示した処理が行われ（Ｓ２４０８）、放送番組記録部９００は放送受信・再生部１００Ｂが出力する映像信号及び音声信号を記録する。また、ステップＳ２４０５での判定処理の結果、視聴時間が０より大きく、かつ値「Ｔｌ」よりも小さいと判定された場合には、放送番組記録部９００がこれをザッピングに拠るものと判定する。つまり盛り上がり検出部５３０に対して、放送番組の盛り上がり度基準値のリセット要求が出力される（Ｓ２４０６）。このリセット要求の対象となる放送番組は、放送受信・再生部１００Ｂが出力する放送番組である。また、ステップＳ２４０５での判定処理の結果、視聴時間が０であった場合は何もせずに処理を終了する。すなわち、盛り上がり度の検出要求も盛り上がり度基準値のリセット要求も出力されずに、処理が終了する。
【０１４０】
図２５は、選局制御部５３０から録画開始要求を放送番組記録部９００が受信した場合の、当該放送番組記録部の動作例を示すフローチャートである。以下では、図２２のｂ）の例について放送受信・再生部１３０Ａが番組名「番組○○」に係る信号を出力し、該放送番組の記録画開始要求を放送番組記録部９００が受信した場合の動作を説明する。
【０１４１】
選局制御部３３０から録画開始要求を受信すると、放送番組記録部９００は、受信した録画開始要求及びこの要求を受信した時刻に基づいて、録画すべき放送番組の番組属性情報を番組情報管理部４３０から取得する（Ｓ２５０１）。この場合、盛り上がり検出の対象となるチャンネルが「Ｃｈ．Ｘ」であり、上記要求を取得した時刻が「Ｔｖｅ１」であるため、放送番組記録部９００は図４のＴ００１に示した番組属性情報を取得する。その後、当該放送番組の終了までＳ２５０３及びＳ２５０４の処理を繰り返す（Ｓ２５０２）。次に、選局制御部３３０から当該放送受信・再生部が出力する放送番組の録画中止要求を受信したか否かを放送番組記録部９００が判断する（Ｓ２５０３）。この場合、放送番組記録部９００は録画中止要求を受信していないので、ステップＳ２５０３での判断結果がＮに該当する。よって放送番組記録部９００は、対象となる放送受信・再生部が出力する映像信号及び音声信号を、ステップＳ２５０１で取得した番組属性情報と関連付けて録画する（Ｓ２５０４）。この場合、放送番組記録部９００は、放送受信・再生部１００Ａが出力する番組名「番組○○」の映像信号及び音声信号を録画する。その後、ステップＳ２５０２に戻って前述の処理を繰り返す（Ｓ２５０５）。
【０１４２】
また、ステップＳ２５０３にて選局制御部３３０から録画中止要求を放送番組記録部９００が受信した場合には、ステップＳ２５０３での判断結果がＹに該当するので、放送番組の録画処理を終了する。
【０１４３】
図２６ａ）は、放送番組「番組○○」の放送開始時点から終了時点までの音量レベルの時間的変化を上段にグラフで示すとともに、チャンネル切替時における各放送番組の放送時間とユーザの視聴時間の関係を下段に示している。本例では、チャンネル「Ｃｈ．Ｘ」で放送中の番組名「番組○○」を視聴している最中に、チャンネル「Ｃｈ．Ｙ」で放送中の番組名「番組××」へとユーザがチャンネルを切り替えた場合を示す。図中のグラフは、番組名「番組○○」の放送開始から終了までの音量レベルの変化を示しており、横軸に時刻をとり、縦軸に音量レベルをとって表したものである。なお図中黒く塗りつぶした部分は放送番組をユーザが視聴した時間を表し、斜線部は録画した部分を表す。また、破線で囲んだ部分は放送番組をユーザが視聴していない時間を表す。
【０１４４】
図示のようにユーザは、番組名「番組○○」を時刻「Ｔｖｓ１」から時刻「Ｔｖｅ１」まで視聴した後、チャンネルを「Ｃｈ．Ｘ」から「Ｃｈ．Ｙ」に切り替え、番組名「番組××」を時刻「Ｔｃｅ２」まで視聴したことが分かる。この際、ユーザがチャンネルを切り替えた時点で、放送番組記録部９００によって番組名「番組○○」を番組終了まで録画する。なお、時刻「Ｔｖｓ１」から時刻「Ｔｖｅ１」までの時間は前述した値「Ｔｌ」に比べて長いものとする。
【０１４５】
また、番組名「番組○○」の音量レベルは、時間経過につれてグラフ線Ｌ００５のように変化している。ユーザが番組名「番組○○」を視聴している期間において最大音量レベルは時刻「Ｔｓｔ１」での値「Ｌｓｔ１」であり、視聴中断後において音量レベルがＬｓｔ１を超えた時点が時刻「Ｔｐ１」である。従って、この場合には放送番組「番組○○」の視聴中断後の録画部分において当該番組が盛り上ったことを示しており、その旨がユーザに通知される。
【０１４６】
図２６ｂ）は、放送番組「番組△△」の放送開始時点から終了時点までの音量レベルの時間的変化を上段にグラフで示すとともに、チャンネル切替時における各放送番組の放送時間とユーザの視聴時間の関係を下段に示している。
【０１４７】
本例では、チャンネル「Ｃｈ．Ｘ」で放送中の番組名「番組△△」を視聴している最中に、チャンネル「Ｃｈ．Ｙ」で放送中の番組名「番組□□」へとユーザがチャンネルを切り替えた場合を示す。図中のグラフは、番組名「番組△△」の放送開始から終了までの音量レベルの変化を示しており、横軸に時刻をとり、縦軸に音量レベルをとって表したものである。なお図中黒く塗りつぶした部分や、斜線部は録画した部分、破線で囲んだ部分の意味は図２６ａ）で説明した通りである。
【０１４８】
図示のようにユーザは、番組名「番組△△」を時刻「Ｔｖｓ３」から時刻「Ｔｖｅ３」まで視聴した後、チャンネルを「Ｃｈ．Ｘ」から「Ｃｈ．Ｙ」に切り替え、番組名「番組□□」を時刻「Ｔｃｅ４」まで視聴したことが分かる。この際、ユーザがチャンネルを切り替えた時点で、放送番組記録部９００によって番組名「番組△△」を番組終了まで録画する。なお、時刻「Ｔｖｓ３」から時刻「Ｔｖｅ３」までの時間は前述した値「Ｔｌ」に比べて長いものとする。
【０１４９】
また、番組名「番組△△」の音量レベルは、時間経過につれてグラフ線Ｌ００６のように変化している。ユーザが番組名「番組△△」を視聴している期間において最大音量レベルは時刻「Ｔｓｔ３」での値「Ｌｓｔ３」である。そして視聴中断後における最大音量レベルは時刻「Ｔｐ３」での値「Ｌｐ３」であるが、Ｌｐ３はＬｓｔ３よりも小さい。従って、この場合には放送番組「番組△△」の視聴中断後に録画した部分において当該番組がそれほど盛り上ってはいない状況を示しており、ユーザへの通知は行われない。
【０１５０】
図２７は、選局制御部３３０から盛り上がり度の検出要求を受信した際の、盛り上がり検出部５３０の動作例を示すフローチャートである。以下では、図２６ａ）の場合について盛り上がり度の検出処理を説明する。
【０１５１】
選局制御部３３０から盛り上がり度の検出要求を受信すると、盛り上がり検出部５３０はこの検出要求及びこの要求を受信した時刻に基づいて、盛り上がり度の検出を行うべき放送番組の番組属性情報を番組情報管理部４３０から取得する（Ｓ２７０１）。この場合、盛り上がり検出を行うべきチャンネルが「Ｃｈ．Ｘ」であり、上記要求を取得した時刻が「Ｔｖｅ１」であるため、図４のＴ００１に示す番組属性情報を盛り上がり検出部５３０が取得する。次に盛り上がり検出部５３０は、前述した盛り上がり度基準値の検出処理によって検出済みとされる、当該放送番組に関する盛り上がり度基準値を取得する（Ｓ２７０２）。この場合、盛り上がり度基準値はＬｓｔ１となる。その後、当該放送番組の終了までＳ２７０４乃至Ｓ２７１０の処理を繰り返す（Ｓ２７０３）。つまり選局制御部３３０から当該放送受信・再生部に関する盛り上がり度基準値の検出要求を受信したか否かを、盛り上がり検出部５３０が判断する（Ｓ２７０４）。この場合、盛り上がり検出部５３０は盛り上がり度の検出要求を受信した後に盛り上がり度基準値の検出要求を受信しないので、ステップＳ２７０４での判断結果がＮに該当する。よって盛り上がり検出部５３０は、盛り上がり度の検出要求に従って、放送受信・再生部１００Ａ又は１００Ｂが出力する音声信号について音量レベルを取得する（Ｓ２７０５）。この場合、放送受信・再生部１００Ａの盛り上がり度を検出するため、放送受信・再生部１００Ａが出力する音声信号についてその音量レベルを盛り上がり検出部５３０が取得する。
【０１５２】
次ステップにて盛り上がり検出部５３０は、取得した音量レベルと盛り上がり度基準値とを比較し、取得した音量レベルの方が盛り上がり度基準値よりも大きいか否かを判定する（Ｓ２７０６）。取得した音量レベルの方が盛り上がり度基準値に比べて大きい場合には、ステップＳ２７０６での判断結果がＹに該当する。よって盛り上がり検出部５３０は、現在の時刻を盛り上がり検出時刻としてメモリに記憶する（Ｓ２７０７）。そして盛り上がり検出部５３０は、出力制御部７３０から通知画面を表示中であるか否かの情報を取得し（Ｓ２７０８）、現時点で通知画面を表示中であるか否かを判断する（Ｓ２７０９）。通知画面の表示中でない場合にはステップＳ２７０９での判断結果がＮに該当する。よって盛り上がり検出部５３０は、通知画面作成部６３０に対して録画再生用通知画面の作成要求を出力する（Ｓ２７１０）。その後、ステップＳ２７０３に戻って前述の処理を繰り返す（Ｓ２７１１）。この場合、図２６ａ）に示す時刻「Ｔｐ１」において音量レベルが盛り上がり度基準値「Ｌｓｔ１」を超える。従って盛り上がり検出部５３０は通知画面作成部６３０に対して録画再生用通知画面の作成要求を出力する。なお、通知画面を表示している期間中はステップＳ２７０８での判断結果がＹに該当するため、録画再生用通知画面の作成要求が出力されることはない。
【０１５３】
一方、図２６ｂ）の例において盛り上がり度の検出処理を行った場合は、番組名「番組△△」の終了までの間、ステップＳ２７０６での判断結果がＮに該当する。従って盛り上がり検出部５３０は、通知画面作成部６３０に対して録画再生用通知画面の作成要求を出力しない。
【０１５４】
図２８は、ユーザへの通知画像の表示例を概略的に示したイメージ図である。つまり、図２６ａ）に示した時刻「Ｔｐ１」において、通知画面作成部６３０が作成した通知画面Ｆ０２０２を、放送受信・再生部１００Ｂが出力する映像信号に係る表示画面Ｆ０２０１に重ね合わせ、その結果をモニタ４に出力した様子を例示している。
【０１５５】
通知画面作成部６３０は、ユーザへの通知用画像を表示する通知画面Ｆ０２０２を用意し、その上に各種のボタンを画面に呈示する。例えば、以下に示すボタンが通知画面に描画される。
・盛り上がりが検出された放送受信・再生部１００Ａの出力する放送番組を、ユーザが録画した時点から視聴したい場合に選択するためのボタンＦ０２０３。  
・盛り上がりを検出した録画部分からユーザが再生したい場合に選択するためのボタンＦ２０４。
・録画部分を再生することなく、放送受信・再生部１００Ｂが出力する放送番組の視聴をユーザが継続したい場合に選択するためのボタンＦ０２０５。
【０１５６】
つまりユーザがボタンＦ０２０３をリモコン３で選択した場合には、録画した放送番組を先頭から視聴するために、ユーザインタフェース部２３０が放送番組記録部９００に対して再生指示を出力する。これにより、録画した放送番組「番組○○」の先頭から再生が行われる。また、ユーザがボタンＦ０２０４をリモコン３で選択した場合には、録画した放送番組の盛り上がりを検出した時点から視聴するために、ユーザインタフェース部２３０が放送番組記録部９００に対して再生指示を出力する。これにより、盛り上がり検出時刻に基づいて録画部分の検索処理がなされ、当該検出時刻から再生が開始される。一方、ユーザがボタンＦ０２０５をリモコン３で選択した場合には、ユーザインタフェース部２３０は録画部分を再生せず、出力制御部７３０に対して通知画面消去指示が出力される。
【０１５７】
このように、ユーザが放送番組を視聴していた期間における音量レベルに基づいて盛り上がり度基準値を規定する。そして、ユーザが視聴を中断した後における音量レベルが盛り上がり度基準値を越えた場合には、録画した放送番組が盛り上がったことをユーザに通知してその再生操作を促す。これにより、ユーザが興味を失って視聴を中断した番組であっても、中断後に予期しないほど盛り上がりを見せたシーンを見逃すことなく視聴できる。
【０１５８】
なお、本実施形態ではユーザが放送番組を視聴していた期間において音量レベルの最大値を盛り上がり度基準値としたが、これに代えて、放送番組の視聴期間における音量レベルの平均値を算出して盛り上がり度基準値としてもよい。また、第２の実施形態に示したように瞬間視聴率を用いて盛り上がりの度合いを検出してもよい。また、第３の実施形態に示したように、ユーザが視聴を中断した時点から一定時間だけ遡った時点までの期間を、盛り上がり度基準値の検出範囲として採用してもよい。
【０１５９】
また本実施形態では、録画した放送番組に関する音量レベルの最大値が盛り上がり度基準値を超えた場合にユーザに通知したが、これに限定される訳ではない。例えば、録画済み放送番組に関する音量レベルの平均値が盛り上がり度基準値を超えた場合に通知するように構成してもよい。但しこの場合、放送番組の録画部分における盛り上がり箇所は特定されないので、図２８の通知画面上にはボタンＦ０２０４を表示しない。もちろん、前述したように音量レベルの代わりに瞬間視聴率を用いてもよい。
【０１６０】
さらに、本実施形態では通知画面の表示中に通知画面の作成要求を出力しないように構成したが、通知画面を閉じた後でも一定時間が経過するまでの間は通知画面の作成要求を出力しないように構成してもよい。また、通知画面の作成要求を通知画面作成部が受信した時点で通知画面を作成する代わりに、ユーザがテレビジョン装置１への電源供給を遮断にした場合において、次回に電源を投入した際にユーザへの通知を行う構成にしてもよい。また、公知のコマーシャル検出機能を装置に付加し、視聴中の放送番組がコマーシャル期間に入った時点でユーザに通知する構成としてもよい。
【０１６１】
加えて、本実施形態では放送番組に係る映像信号の表示画面上に、ユーザへの通知画面を重ね合わせる様に構成したが、通知方法がこれのみに限定される訳ではない。例えば、モニタ４に設置されたＬＥＤ等の各種表示手段を点灯する構成等、各種形態での実施が可能である。
【０１６２】
また、本実施形態では盛り上がり度検出と同時に放送番組を録画するように構成したが、ユーザインタフェース部２３０から選局要求を受信した時点で放送番組を録画する構成にしてもよい。加えて、録画対象を映像信号と音声信号としたが、これに限らず、多重化された番組データをそのまま装置に録画し、再生時に映像信号と音声信号を分離する構成にしてもよい。
【０１６３】
次に本発明に係る第５の実施形態について、図２９乃至３３に示す装置を例にして説明する。本実施形態では、ユーザが視聴を中断した後で放送番組の盛り上がりを検出した際に通知画面を表示する代わりに、盛り上がり度の変化を連続的に表示する構成を採用する。なお、本実施形態において前述した第１乃至第４の実施形態と重複する部分については説明を省略する。
【０１６４】
図２９は、本発明の第５の実施形態を適用したテレビジョン装置１の内部構成の要部を例示したブロック図である。
ＣＰＵ１１３は、図２のＣＰＵ１１の機能に加えて、盛り上がり度表示制御回路２０に対して、盛り上がり度に基づいた表示を行うように指示する。
【０１６５】
盛り上がり度表示制御回路２０は、放送番組の盛り上がり度をユーザに通知するための通知手段を構成し、ＣＰＵ１１３からの指示に従って、盛り上がり度の表示制御を行う。盛り上がり度表示制御回路２０によって制御される表示手段又は発光手段の具体例としては、複数のＬＥＤを棒グラフ状に並べてグラフの長さによるレベル表示で盛り上がり度を表示することが挙げられる。あるいは、ＬＥＤの発光色を盛り上がり度に合わせて変化させて表示してもよい。例えば盛り上がり度が高まるつれて寒色系から暖色系へと色を変化させる方法が挙げられる。
【０１６６】
図３０は、図２９に示したテレビジョン装置１の機能ブロック図である。
ユーザインタフェース部２４０は、ユーザからの操作指示、例えば「チャンネルアップ」、「Ｃｈ．Ｘ選局」等の指示を受け取り、指示に従った動作が行われるように選局制御部３００に対して選局要求を出力する。なお、ユーザからの指示は通常、リモコンを介してなされ、「はい」、「いいえ」等の選択肢を含む操作画面を伴うこともある。
【０１６７】
盛り上がり検出部５４０は、選局制御部３００から受け取った盛り上がり度基準値の検出要求に従って、放送番組の盛り上がり度基準値を検出する。その際に使用する情報は、放送受信・再生部１００Ａ又は１００Ｂから受信した音声信号の音量レベルと、番組情報管理部４００から受信した番組属性情報である。その後に盛り上がり検出部５４０は、検出した盛り上がり度基準値と、検出対象が放送受信・再生部１００Ａであるか又は１００Ｂであるかのいずれかを示す識別情報と、盛り上がり度基準値の検出時間をメモリに記憶する。また盛り上がり検出部５４０は、選局制御部３００から受け取った盛り上がり度の検出要求に従って、放送番組の盛り上がり度を算出する。その際に使用する情報は、放送受信・再生部１００Ａ又は１００Ｂから受信した音声信号の音量レベルと、番組情報管理部４００から受信した番組属性情報である。盛り上がり検出部５４０はその後、記憶した盛り上がり度基準値と盛り上がり度を比較する。そして盛り上がり検出部５４０は、比較結果に基づく盛り上がり度の表示要求を盛り上がり度表示制御部１０００に対して出力する。
【０１６８】
出力制御部７４０は、選局制御部３００からの出力切替要求に従い、モニタ４へ出力する映像信号及びスピーカ５へ出力する音声信号を切り替える。盛り上がり度表示制御部１０００は、盛り上がり検出部５４０から受信した盛り上がり度の表示要求に従って盛り上がり度を表示する。
【０１６９】
図３１は、放送番組「番組○○」の放送開始時点から終了時点までの音量レベルの時間的変化を上段にグラフで示すとともに、チャンネル切替時における各放送番組の放送時間とユーザの視聴時間の関係を下段に示している。本例では、チャンネル「Ｃｈ．Ｘ」で放送中の番組名「番組○○」を視聴している最中に、チャンネル「Ｃｈ．Ｙ」で放送中の番組名「番組××」へとユーザがチャンネルを切り替えた場合を示す。図中のグラフは、番組名「番組○○」の放送開始から終了までの音量レベルの変化を示しており、横軸に時刻をとり、縦軸に音量レベルをとって表したものである。なお図中黒く塗りつぶした部分は放送番組をユーザが視聴した時間、破線で囲んだ部分は放送番組をユーザが視聴していない時間を表す。
【０１７０】
図示のようにユーザは、番組名「番組○○」を時刻「Ｔｖｓ１」から時刻「Ｔｖｅ１」まで視聴した後、チャンネルを「Ｃｈ．Ｘ」から「Ｃｈ．Ｙ」に切り替え、番組名「番組××」を時刻「Ｔｃｅ２」まで視聴したことが分かる。なお、時刻「Ｔｖｓ１」から時刻「Ｔｖｅ１」までの時間は前述した値「Ｔｌ」に比べて長いものとする。
【０１７１】
また、番組名「番組○○」の音量レベルは、時間経過につれてグラフ線Ｌ００７のように変化している。ユーザが番組名「番組○○」を視聴している期間において最大音量レベルは時刻「Ｔｓｔ１」での値「Ｌｓｔ１」であり、視聴中断後の音量レベルがＬｓｔ１を超えた時点が時刻「Ｔα」である。その後、音量レベルは時刻「Ｔβ」まで緩やかに上昇し、時刻「Ｔβ」から時刻「Ｔγ」までは同じ音量レベルを維持している。その後、時刻「Ｔγ」から時刻「Ｔδ」にかけて音量レベルが急激に上昇し、時刻「Ｔδ」から「Ｔｃｅ１」まで再び緩やかに上昇している。
【０１７２】
図３２は、選局制御部３００から盛り上がり度の検出要求を受信した際の、盛り上がり検出部５４０の動作例を示すフローチャートである。なお、選局制御部３００から盛り上がり度基準値の検出要求を受信した際の盛り上がり検出部５４０の動作については図８と同じである。
【０１７３】
以下では、図３１の場合について盛り上がり度の検出処理を説明する。
選局制御部３００から盛り上がり度の検出要求を受信すると、盛り上がり検出部５４０はこの検出要求及びこの要求を受信した時刻に基づいて、番組情報管理部４００から盛り上がり度検出を行うべき放送番組の番組属性情報を取得する（Ｓ３２０１）。この場合、盛り上がり検出を行うべきチャンネルが「Ｃｈ．Ｘ」であり、上記要求を取得した時刻が「Ｔｖｅ１」であるため、図４のＴ００１に示した番組属性情報を取得する。
【０１７４】
次ステップにて盛り上がり検出部５４０は、前述した盛り上がり度基準値の検出処理によって検出した、当該放送番組に関する盛り上がり度基準値を取得する（Ｓ３２０２）。この場合、盛り上がり度基準値はＬｓｔ１となる。その後、当該放送番組の終了までＳ３２０４乃至Ｓ３２０７の処理を繰り返す（Ｓ３２０３）。つまり盛り上がり検出部５４０は、選局制御部３００から当該放送受信・再生部に関する盛り上がり度基準値の検出要求を受信したか否かを判断する（Ｓ３２０４）。この場合、盛り上がり検出部５４０は盛り上がり度の検出要求を受信した後に盛り上がり度基準値の検出要求を受信しないので、ステップＳ３２０４での判断結果がＮに該当する。よって、盛り上がり度の検出要求に従って盛り上がり検出部５４０は、放送受信・再生部１００Ａ又は１００Ｂが出力する音声信号について音量レベルを取得する（Ｓ３２０５）。この場合、放送受信・再生部１００Ａの盛り上がり度を検出するため、盛り上がり検出部５４０は放送受信・再生部１００Ａが出力する音声信号についてその音量レベルを取得する。次に盛り上がり検出部５４０は、取得した音量レベルと盛り上がり度基準値との間の差分を取得する（Ｓ３２０６）。この差分値に基づいて盛り上がり度表示制御部１０００に対して盛り上がり度の表示要求を盛り上がり検出部５４０が出力する（Ｓ３２０７）。その後、Ｓ３２０３に戻って前述の処理を繰り返す（Ｓ３２０８）。
【０１７５】
図３３は、盛り上がり度表示制御回路２０を搭載したテレビジョン装置１の表示部を概略的に示したイメージ図である。テレビジョン装置１には盛り上がり度表示制御回路２０が設けられており、本例では、複数のＬＥＤを棒グラフ状に並べて配置して構成した表示回路である。盛り上がり度表示制御回路２０は、盛り上がり基準値と盛り上がり度との間の差分値が大きいほど、棒グラフの長さが長くなるように表示制御を行う。また、前回の差分値と比較して差分値の増加が大きい場合にＬＥＤの発光色を変更する。例えば、盛り上がり度が高まる方向への変化量が大きい場合に、赤や橙等の暖色系の色で表示する。
【０１７６】
このように、ユーザが放送番組の視聴を中断した後で盛り上がりを検出した際にユーザへの通知画面を表示する代わりに、盛り上がり度の変化を連続的に表示することで、視聴を中断した放送番組に盛り上がり度の変化をユーザにリアルタイムで通知する。これによりユーザは、予期しないほど盛り上がりを見せたシーンを見逃さずに視聴できる。
【０１７７】
なお、本実施形態ではユーザが放送番組を視聴していた期間における音量レベルの最大値を盛り上がり度基準値としたが、これに限定される訳ではない。例えば、ユーザが放送番組を視聴していた期間において音量レベルの平均値を算出して盛り上がり度基準値としてもよい。また、第２の実施形態に示したように瞬間視聴率を用いて盛り上がりを検出してもよい。あるいはまた、第３の実施形態に示したように、ユーザが放送番組の視聴を中断した時点から一定時間だけ遡った時点までの期間を、盛り上がり度基準値の検出範囲としてもよい。
【０１７８】
加えて、本実施形態ではＬＥＤを棒グラフ状に並べて表示するように構成したが、盛り上がり度又はその変化量の視覚的な表示方法の如何は問わない。例えば、ＬＥＤを点滅できるように構成し、盛り上がり度の変化に応じて点滅の回数や周波数等を変化させることでユーザに通知するといった、各種表示形態での実施が可能である。
【図面の簡単な説明】
【０１７９】
【図１】図２乃至１０とともに本発明の第１の実施形態を説明するための図であり、第１の実施形態を適用したテレビジョン装置の接続例を示した図である。
【図２】テレビジョン装置１の内部構成の要部を例示したブロック図である。
【図３】テレビジョン装置１の機能ブロック図である。
【図４】番組情報管理部４００が記憶する番組属性情報を例示した図である。
【図５】ユーザが視聴した放送番組と視聴時間の関係を表した図である。
【図６】選局要求を受信した際の選局制御部３００の動作例を示すフローチャートである。
【図７】放送番組の放送時間とユーザの視聴時間の関係、及び放送番組の放送開始から終了までの音量レベルの変化を例示した図である。
【図８】盛り上がり度基準値の検出要求を受信した際の盛り上がり検出部５００の動作例を示すフローチャートである。
【図９】盛り上がり度の検出要求を受信した際の盛り上がり検出部５００の動作例を示すフローチャートである。
【図１０】通知画面作成部６００が作成した通知画面を、放送受信・再生部１００Ｂが出力する映像信号に係る表示画面上に重ね合わせた結果をモニタ４に出力したイメージ図である。
【図１１】図１２乃至１６とともに本発明に係る第２の実施形態を説明するための図であり、第２の実施形態を適用したテレビジョン装置の接続例を示した図である。
【図１２】テレビジョン装置１の内部構成の要部を例示したブロック図である。
【図１３】テレビジョン装置１の機能ブロック図である。
【図１４】放送番組の放送時間とユーザの視聴時間の関係、及び放送番組の放送開始から終了までの瞬間視聴率の変化を例示した図である。
【図１５】盛り上がり度基準値の検出要求を受信した際の盛り上がり検出部５１０の動作例を示すフローチャートである。
【図１６】盛り上がり度の検出要求を受信した際の盛り上がり検出部５１０の動作例を示すフローチャートである。
【図１７】図１８及び１９とともに本発明に係る第３の実施形態を説明するための図であり、第３の実施形態を適用したテレビジョン装置１の機能ブロック図である。
【図１８】放送番組の放送時間とユーザの視聴時間の関係、及び放送番組の放送開始から終了までの音量レベルの変化を例示した図である。
【図１９】盛り上がり度基準値の検出要求を受信した際の盛り上がり検出部５２０の動作例を示すフローチャートである。
【図２０】図２１乃至２８とともに本発明に係る第４の実施形態を説明するための図であり、第４の実施形態を適用したテレビジョン装置１の内部構成の要部を例示したブロック図である。
【図２１】テレビジョン装置１の機能ブロック図である。
【図２２】ユーザが視聴した放送番組と視聴時間及び録画時間の関係を例示した図である。
【図２３】選局要求を受信した際の選局制御部３３０の動作例を示すフローチャートである。
【図２４】再生要求を受信した際の放送番組記録部９００の動作例を示すフローチャートである。
【図２５】録画開始要求を受信した場合の放送番組記録部９００の動作例を示すフローチャートである。
【図２６】放送番組の放送時間とユーザの視聴時間の関係、及び放送番組の放送開始から終了までの音量レベルの変化を例示した図である。
【図２７】盛り上がり度の検出要求を受信した際の盛り上がり検出部５３０の動作例を示すフローチャートである。
【図２８】通知画面作成部６００が作成した通知画面を、放送受信・再生部１００Ｂが出力する映像信号に係る表示画面上に重ね合わせた結果をモニタ４に出力したイメージ図である。
【図２９】図３０乃至３３ととも本発明に係る第５の実施形態を説明するための図であり、第５の実施形態を適用したテレビジョン装置１の内部構成の要部を例示したブロック図である。
【図３０】テレビジョン装置１の機能ブロック図である。
【図３１】放送番組の放送時間とユーザの視聴時間の関係、及び放送番組の放送開始から終了までの音量レベルの変化を例示した図である。
【図３２】盛り上がり度の検出要求を受信した際の盛り上がり検出部５４０の動作例を示すフローチャートである。
【図３３】盛り上がり度表示制御回路２０を搭載したテレビジョン装置１の表示部を例示したイメージ図である。
【符号の説明】
【０１８０】
１  テレビジョン装置
２  アンテナ
３  リモコン
４  モニタ
５  スピーカ
６  インターネット
７  視聴率管理サーバ
１１  ＣＰＵ
１１１  ＣＰＵ
１１２  ＣＰＵ
１１３  ＣＰＵ
１２Ａ、１２Ｂ  デコーダ
１２２Ａ、１２２Ｂ  デコーダ
１３Ａ、１３Ｂ  チューナ
１４  赤外線受光部
１５  メモリ
１６  映像音声出力回路
１７  内部バス
１８  ネットワークインタフェース
１９  ＨＤＤ
２０  盛り上がり度表示制御回路
１００Ａ、１００Ｂ  放送受信・再生部
１３０Ａ、１３０Ｂ  放送受信・再生部
２００  ユーザインタフェース部
２３０  ユーザインタフェース部
２４０  ユーザインタフェース部
３００  選局制御部
３３０  選局制御部
４００  番組情報管理部
４３０  番組情報管理部
５００  盛り上がり検出部
５１０  盛り上がり検出部
５２０  盛り上がり検出部
５３０  盛り上がり検出部
５４０  盛り上がり検出部
６００  通知画面作成部
６３０  通知画面作成部
７００  出力制御部
７３０  出力制御部
７４０  出力制御部
８００  視聴率受信部
９００  放送番組記録部
１０００  盛り上がり度表示制御部
【図１】
2010161489.tif 000003
【図２】
2010161489.tif 000004
【図３】
2010161489.tif 000005
【図４】
2010161489.tif 000006
【図５】
2010161489.tif 000007
【図６】
2010161489.tif 000008
【図７】
2010161489.tif 000009
【図８】
2010161489.tif 000010
【図９】
2010161489.tif 000011
【図１０】
2010161489.tif 000012
【図１１】
2010161489.tif 000013
【図１２】
2010161489.tif 000014
【図１３】
2010161489.tif 000015
【図１４】
2010161489.tif 000016
【図１５】
2010161489.tif 000017
【図１６】
2010161489.tif 000018
【図１７】
2010161489.tif 000019
【図１８】
2010161489.tif 000020
【図１９】
2010161489.tif 000021
【図２０】
2010161489.tif 000022
【図２１】
2010161489.tif 000023
【図２２】
2010161489.tif 000024
【図２３】
2010161489.tif 000025
【図２４】
2010161489.tif 000026
【図２５】
2010161489.tif 000027
【図２６】
2010161489.tif 000028
【図２７】
2010161489.tif 000029
【図２８】
2010161489.tif 000030
【図２９】
2010161489.tif 000031
【図３０】
2010161489.tif 000032
【図３１】
2010161489.tif 000033
【図３２】
2010161489.tif 000034
【図３３】
2010161489.tif 000035